(57)【要約】【課題】膨大な数のローカルエリアレンジノードの運用やそれらの柔軟な配置を可能とする移動通信システムを提供する。【解決手段】セルリセレクションのための測定開始用閾値（Ｓ_intrasearch_total）として、サービングセルのバックホールリンクの通信品質を考慮した値を設ける。移動端末は、ステップＳＴ１４０１で、サービングセルの受信電力測定値（Ｓx）と測定開始用閾値（Ｓ_intrasearch_total）とを比較し、ＳxがＳ_intrasearch_total以下となった場合に、バックホールリンクの通信品質を含めたサービングセルの受信品質が悪いと判断し、ステップＳＴ１３０２で、セルリセレクションのための測定を開始する。【選択図】図１４
2013080986.tif 000002
【特許請求の範囲】
【請求項１】
コアネットワークに接続される複数の基地局装置と、各前記基地局装置と無線通信可能な移動端末装置とを含み、前記複数の基地局装置の通信可能な範囲である複数のセルの少なくとも一部分が重複する移動体通信システムであって、
前記移動端末装置は、
各セルにおける基地局装置からの信号の受信品質と、前記基地局装置と前記コアネットワークとの間の通信回線の通信品質とを含む選択情報に基づいて、前記複数のセルの中から、通信対象となる基地局装置のセルを選択することを特徴とする移動体通信システム。
【請求項２】
複数の基地局装置と、各前記基地局装置と無線通信可能な移動端末装置と、前記複数の基地局装置のうちの少なくとも１つの基地局装置と前記移動端末装置との間の無線通信を中継する中継装置とを含み、前記複数の基地局装置の通信可能な範囲である複数のセルの少なくとも一部分が重複する移動体通信システムであって、
前記移動端末装置は、
各セルにおける基地局装置からの信号の受信品質と、前記基地局装置と前記中継装置との間の通信回線の通信品質とを含む選択情報に基づいて、前記複数のセルの中から、通信対象となる基地局装置のセルを選択することを特徴とする移動体通信システム。
【請求項３】
前記選択情報は、各セルにおける移動端末装置から基地局装置への上り通信回線の状態を含むことを特徴とする請求項１または２に記載の移動体通信システム。
【請求項４】
複数の基地局装置と、各前記基地局装置と無線通信可能な移動端末装置とを含み、前記複数の基地局装置の通信可能な範囲である複数のセルの少なくとも一部分が重複する移動体通信システムであって、
前記移動端末装置は、
各セルにおける基地局装置からの信号の受信品質と、各セルにおける移動端末装置から基地局装置への上り通信回線の状態とを含む選択情報に基づいて、前記複数のセルの中から、通信対象となる基地局装置のセルを選択することを特徴とする移動体通信システム。
【発明の詳細な説明】
【技術分野】
【０００１】
本発明は、複数の移動端末と基地局との間で無線通信を実施する移動体通信システムに関する。
【背景技術】
【０００２】
第３世代と呼ばれる通信方式のうち、Ｗ−ＣＤＭＡ（Wideband Code division Multiple Access）方式が２００１年から日本で商用サービスが開始されている。また、下りリンク（個別データチャネル、個別制御チャネル）にパケット伝送用のチャネル（High Speed-Downlink Shared Channel：ＨＳ−ＤＳＣＨ）を追加することにより、下りリンクを用いたデータ送信の更なる高速化を実現するＨＳＤＰＡ（High Speed Down Link Packet Access）のサービスが開始されている。さらに、上り方向のデータ送信をより高速化するためＨＳＵＰＡ（High Speed Up Link Packet Access）方式についてもサービスが開始されている。Ｗ−ＣＤＭＡは、移動体通信システムの規格化団体である３ＧＰＰ（3rd Generation Partnership Project）により定められた通信方式であり、リリース８版の規格書がとりまとめられている。
【０００３】
また、３ＧＰＰにおいて、Ｗ−ＣＤＭＡとは別の通信方式として、無線区間についてはロングタームエボリューション（Long Term Evolution：ＬＴＥ）、コアネットワーク（単にネットワークとも称する）を含めたシステム全体構成については、システムアーキテクチャエボリューション（System Architecture Evolution：ＳＡＥ）と称される新たな通信方式が検討されている。
【０００４】
ＬＴＥでは、アクセス方式、無線のチャネル構成やプロトコルが、現在のＷ−ＣＤＭＡ（ＨＳＤＰＡ／ＨＳＵＰＡ）とは全く異なるものになる。例えば、アクセス方式は、Ｗ−ＣＤＭＡが符号分割多元接続（Code Division Multiple Access）を用いているのに対して、ＬＴＥは下り方向はＯＦＤＭ（Orthogonal Frequency Division Multiplexing）、上り方向はＳＣ−ＦＤＭＡ（Single Career Frequency Division Multiple Access）を用いる。また、帯域幅は、Ｗ−ＣＤＭＡが５ＭＨｚであるのに対し、ＬＴＥでは１．４ＭＨｚ，３ＭＨｚ，５ＭＨｚ，１０ＭＨｚ，１５ＭＨｚ，２０ＭＨｚの中で基地局毎に選択可能となっている。また、ＬＴＥでは、Ｗ−ＣＤＭＡのように回線交換を含まず、パケット通信方式のみになる。
【０００５】
ＬＴＥは、Ｗ−ＣＤＭＡのコアネットワーク（General Packet Radio Service：ＧＰＲＳ）とは異なる新たなコアネットワークを用いて通信システムが構成されるため、Ｗ−ＣＤＭＡ網とは別の独立した無線アクセス網として定義される。したがって、Ｗ−ＣＤＭＡの通信システムと区別するため、ＬＴＥの通信システムでは、移動端末（User Equipment：ＵＥ）と通信を行う基地局（Base station）はｅＮＢ（E-UTRAN NodeB）と称され、複数の基地局と制御データやユーザデータのやり取りを行う基地局制御装置（Radio Network Controller）は、ＥＰＣ（Evolved Packet Core）またはａＧＷ（Access Gateway）と称される。このＬＴＥの通信システムでは、ユニキャスト（Unicast）サービスとＥ-ＭＢＭＳサービス（Evolved Multimedia Broadcast Multicast Service）とが提供される。Ｅ−ＭＢＭＳサービスとは、放送型マルチメディアサービスであり、単にＭＢＭＳと称される場合もある。複数の移動端末に対してニュースや天気予報、モバイル放送などの大容量放送コンテンツが送信される。これを１対多（Point to Multipoint）サービスともいう。
【０００６】
３ＧＰＰでの、ＬＴＥシステムにおける全体的なアーキテクチャ（Architecture）に関する現在の決定事項が、非特許文献１（４．６．１章）に記載されている。全体的なアーキテクチャについて図１を用いて説明する。図１は、ＬＴＥ方式の通信システムの構成を示す説明図である。図１において、移動端末１０１に対する制御プロトコル、例えばＲＲＣ（Radio Resource Control）と、ユーザプレイン、例えばＰＤＣＰ（Packet Data Convergence Protocol）、ＲＬＣ（Radio Link Control）、ＭＡＣ（Medium Access Control）、ＰＨＹ（Physical layer）とが基地局１０２で終端するならば、Ｅ−ＵＴＲＡＮ（Evolved Universal Terrestrial Radio Access）は１つあるいは複数の基地局１０２によって構成される。
【０００７】
基地局１０２は、ＭＭＥ（Mobility Management Entity）１０３から通知されるページング信号（Paging Signaling、ページングメッセージ（paging messages）とも称される）のスケジューリング（Scheduling）および送信を行う。基地局１０２は、Ｘ２インタフェースにより、互いに接続される。また基地局１０２は、Ｓ１インタフェースによりＥＰＣ（Evolved Packet Core）に接続される。より明確には、基地局１０２は、Ｓ１＿ＭＭＥインタフェースによりＭＭＥ（Mobility Management Entity）１０３に接続され、Ｓ１＿ＵインタフェースによりＳ−ＧＷ（Serving Gateway）１０４に接続される。
【０００８】
ＭＭＥ１０３は、複数あるいは単数の基地局１０２へのページング信号の分配を行う。また、ＭＭＥ１０３は待受け状態（Idle State）のモビリティ制御（Mobility control）を行う。ＭＭＥ１０３は、移動端末が待ち受け状態および、アクティブ状態（Active State）の際に、トラッキングエリア（Tracking Area）リストの管理を行う。
【０００９】
Ｓ−ＧＷ１０４は、ひとつまたは複数の基地局１０２とユーザデータの送受信を行う。Ｓ−ＧＷ１０４は、基地局間のハンドオーバの際、ローカルな移動性のアンカーポイント（Mobility Anchor Point）となる。ＥＰＣには、さらにＰ−ＧＷ（PDN Gateway）が存在し、ユーザ毎のパケットフィルタリングやＵＥ−ＩＤアドレスの割当などを行う。
【００１０】
移動端末１０１と基地局１０２との間の制御プロトコルＲＲＣは、報知（Broadcast）、ページング（paging）、ＲＲＣ接続マネージメント（RRC connection management）などを行う。ＲＲＣにおける基地局と移動端末の状態として、ＲＲＣ＿Ｉｄｌｅ、ＲＲＣ＿ＣＯＮＮＥＣＴＥＤがある。ＲＲＣ＿ＩＤＬＥでは、ＰＬＭＮ（Public Land Mobile Network）選択、システム情報（System Information：ＳＩ）の報知、ページング（paging）、セル再選択（cell re-selection）、モビリティ等が行われる。ＲＲＣ＿ＣＯＮＮＥＣＴＥＤでは、移動端末はＲＲＣ接続（connection）を有し、ネットワークとのデータの送受信を行うことができ、また、ハンドオーバ（Handover：ＨＯ）、隣接セル（Neighbour cell）のメジャメント等が行われる。
【００１１】
非特許文献１（５章）に記載される３ＧＰＰでの、ＬＴＥシステムにおけるフレーム構成に関する現在の決定事項について、図２を用いて説明する。図２は、ＬＴＥ方式の通信システムで使用される無線フレームの構成を示す説明図である。図２において、１つの無線フレーム（Radio frame）は１０ｍｓである。無線フレームは１０個の等しい大きさのサブフレーム（Sub-frame）に分割される。サブフレームは、２個の等しい大きさのスロット（slot）に分割される。無線フレーム毎に１番目と６番目のサブフレームに下り同期信号（Downlink Synchronization Signal：ＳＳ）が含まれる。同期信号には、第一同期信号（Primary Synchronization Signal：Ｐ−ＳＳ）と、第二同期信号（Secondary Synchronization Signal：Ｓ−ＳＳ）とがある。サブフレーム単位にてＭＢＳＦＮ（Multimedia Broadcast multicast service Single Frequency Network）用とＭＢＳＦＮ以外のチャネルの多重が行われる。以降、ＭＢＳＦＮ送信用のサブフレームをＭＢＳＦＮサブフレーム（MBSFN sub-frame）と称する。
【００１２】
非特許文献２に、ＭＢＳＦＮサブフレームの割り当て時のシグナリング例が記載されている。図３は、ＭＢＳＦＮフレームの構成を示す説明図である。図３において、ＭＢＳＦＮフレーム（MBSFN frame）毎にＭＢＳＦＮサブフレームが割り当てられる。ＭＢＳＦＮフレームの集合（MBSFN frame Cluster）がスケジュールされる。ＭＢＳＦＮフレームの集合の繰り返し周期（Repetition Period）が割り当てられる。
【００１３】
３ＧＰＰでの、ＬＴＥシステムにおけるチャネル構成に関する現在の決定事項が、非特許文献１（５章）に記載されている。ＣＳＧ（Closed Subscriber Group cell）セルにおいてもｎｏｎ−ＣＳＧセルと同じチャネル構成が用いられると想定されている。物理チャネル（Physical channel）について、図４を用いて説明する。図４は、ＬＴＥ方式の通信システムで使用される物理チャネルを説明する説明図である。図４において、物理報知チャネル（Physical Broadcast channel：ＰＢＣＨ）４０１は、基地局１０２から移動端末１０１へ送信される下りチャネルである。ＢＣＨトランスポートブロック（transport block）は、４０ｍｓ間隔中の４個のサブフレームにマッピングされる。４０ｍｓタイミングの明白なシグナリングはない。物理制御チャネルフォーマットインジケータチャネル（Physical Control Format Indicator Channel：ＰＣＦＩＣＨ）４０２は、基地局１０２から移動端末１０１へ送信される。ＰＣＦＩＣＨは、ＰＤＣＣＨｓのために用いるＯＦＤＭシンボルの数について基地局１０２から移動端末１０１へ通知する。ＰＣＦＩＣＨは、サブフレーム毎に送信される。
【００１４】
物理下り制御チャネル（Physical Downlink Control Channel：ＰＤＣＣＨ）４０３は、基地局１０２から移動端末１０１へ送信される下りチャネルである。ＰＤＣＣＨは、リソース割り当て（allocation）、ＤＬ−ＳＣＨ（後述の図５に示されるトランスポートチャネルの１つである下り共有チャネル）に関するＨＡＲＱ情報、ＰＣＨ（図５に示されるトランスポートチャネルの１つであるページングチャネル）を通知する。ＰＤＣＣＨは、上りスケジューリンググラント（Uplink Scheduling Grant）を運ぶ。ＰＤＣＣＨは、上り送信に対する応答信号であるＡｃｋ（Acknowledgement）／Ｎａｃｋ（Negative Acknowledgement）を運ぶ。ＰＤＣＣＨは、Ｌ１／Ｌ２制御信号とも呼ばれる。
【００１５】
物理下り共有チャネル（Physical Downlink Shared Channel：ＰＤＳＣＨ）４０４は、基地局１０２から移動端末１０１へ送信される下りチャネルである。ＰＤＳＣＨは、トランスポートチャネルであるＤＬ-ＳＣＨ（下り共有チャネル）やトランスポートチャネルであるＰＣＨがマッピングされている。物理マルチキャストチャネル（Physical Multicast Channel：ＰＭＣＨ）４０５は、基地局１０２から移動端末１０１へ送信される下りチャネルである。ＰＭＣＨは、トランスポートチャネルであるＭＣＨ（マルチキャストチャネル）がマッピングされている。
【００１６】
物理上り制御チャネル（Physical Uplink Control Channel：ＰＵＣＣＨ）４０６は、移動端末１０１から基地局１０２へ送信される上りチャネルである。ＰＵＣＣＨは、下り送信に対する応答信号（response）であるＡｃｋ／Ｎａｃｋを運ぶ。ＰＵＣＣＨは、ＣＱＩ（Channel Quality Indicator）レポートを運ぶ。ＣＱＩとは受信したデータの品質、もしくは通信路品質を示す品質情報である。またＰＵＣＣＨは、スケジューリングリクエスト（Scheduling Request：ＳＲ）を運ぶ。物理上り共有チャネル（Physical Uplink Shared Channel：ＰＵＳＣＨ）４０７は、移動端末１０１から基地局１０２へ送信される上りチャネルである。ＰＵＳＣＨは、ＵＬ−ＳＣＨ（図５に示されるトランスポートチャネルの１つである上り共有チャネル）がマッピングされている。
【００１７】
物理ＨＡＲＱインジケータチャネル（Physical Hybrid ARQ Indicator Channel：ＰＨＩＣＨ）４０８は、基地局１０２から移動端末１０１へ送信される下りチャネルである。ＰＨＩＣＨは、上り送信に対する応答であるＡｃｋ／Ｎａｃｋを運ぶ。物理ランダムアクセスチャネル（Physical Random Access Channel：ＰＲＡＣＨ）４０９は、移動端末１０１から基地局１０２へ送信される上りチャネルである。ＰＲＡＣＨは、ランダムアクセスプリアンブル（random access preamble）を運ぶ。
【００１８】
下りリファレンスシグナル（Reference signal）は、移動体通信システムとして既知のシンボルが、毎スロットの最初、３番目、最後のＯＦＤＭシンボルに挿入される。移動端末の物理レイヤの測定として、リファレンスシンボルの受信電力（Reference Symbol Received Power：ＲＳＲＰ）がある。
【００１９】
非特許文献１（５章）に記載されるトランスポートチャネル（Transport channel）について、図５を用いて説明する。図５は、ＬＴＥ方式の通信システムで使用されるトランスポートチャネルを説明する説明図である。図５（Ａ）には、下りトランスポートチャネルと下り物理チャネルとの間のマッピングを示す。図５（Ｂ）には、上りトランスポートチャネルと上り物理チャネルとの間のマッピングを示す。下りトランスポートチャネルについて報知チャネル（Broadcast Channel：ＢＣＨ）は、その基地局（セル）全体に報知される。ＢＣＨは、物理報知チャネル（ＰＢＣＨ）にマッピングされる。
【００２０】
下り共有チャネル（Downlink Shared Channel：ＤＬ−ＳＣＨ）には、ＨＡＲＱ（Hybrid ARQ）による再送制御が適用される。ＤＬ−ＳＣＨは、基地局（セル）全体への報知が可能である。ＤＬ−ＳＣＨは、ダイナミックあるいは準静的（Semi-static）なリソース割り当てをサポートする。準静的なリソース割り当ては、パーシステントスケジューリング（Persistent Scheduling）とも言われる。ＤＬ−ＳＣＨは、移動端末の低消費電力化のために移動端末のＤＲＸ（Discontinuous reception）をサポートする。ＤＬ−ＳＣＨは、物理下り共有チャネル（ＰＤＳＣＨ）へマッピングされる。
【００２１】
ページングチャネル（Paging Channel：ＰＣＨ）は、移動端末の低消費電力を可能とするために移動端末のＤＲＸをサポートする。ＰＣＨは、基地局（セル）全体への報知が要求される。ＰＣＨは、動的にトラフィックに利用できる物理下り共有チャネル（ＰＤＳＣＨ）のような物理リソース、あるいは他の制御チャネルの物理下り制御チャネル（ＰＤＣＣＨ）のような物理リソースへマッピングされる。マルチキャストチャネル（Multicast Channel：ＭＣＨ）は、基地局（セル）全体への報知に使用される。ＭＣＨは、マルチセル送信におけるＭＢＭＳサービス（ＭＴＣＨとＭＣＣＨ）のＳＦＮ合成をサポートする。ＭＣＨは、準静的なリソース割り当てをサポートする。ＭＣＨは、ＰＭＣＨへマッピングされる。
【００２２】
上り共有チャネル（Uplink Shared Channel：ＵＬ−ＳＣＨ）には、ＨＡＲＱ（Hybrid ARQ）による再送制御が適用される。ＵＬ−ＳＣＨは、ダイナミックあるいは準静的（Semi-static）なリソース割り当てをサポートする。ＵＬ−ＳＣＨは、物理上り共有チャネル（ＰＵＳＣＨ）へマッピングされる。図５（Ｂ）に示されるランダムアクセスチャネル（Random Access Channel：ＲＡＣＨ）は、制御情報に限られている。ＲＡＣＨは、衝突のリスクがある。ＲＡＣＨは、物理ランダムアクセスチャネル（ＰＲＡＣＨ）へマッピングされる。
【００２３】
ＨＡＲＱについて説明する。ＨＡＲＱとは、自動再送（Automatic Repeat reQuest）と誤り訂正（Forward Error Correction）との組み合わせにより、伝送路の通信品質を向上させる技術である。通信品質が変化する伝送路に対しても、再送により誤り訂正が有効に機能するという利点がある。特に、再送にあたって初送の受信結果と再送の受信結果との合成をすることで、更なる品質向上を得ることも可能である。
【００２４】
再送の方法の一例を説明する。受信側にて、受信データが正しくデコードできなかった場合、換言すればＣＲＣ（Cyclic Redundancy Check）エラーが発生した場合（ＣＲＣ＝ＮＧ）、受信側から送信側へ「Ｎａｃｋ」を送信する。「Ｎａｃｋ」を受信した送信側は、データを再送する。受信側にて、受信データが正しくデコードできた場合、換言すればＣＲＣエラーが発生しない場合（ＣＲＣ＝ＯＫ）、受信側から送信側へ「Ａｃｋ」を送信する。「Ａｃｋ」を受信した送信側は次のデータを送信する。
【００２５】
ＨＡＲＱ方式の一例として、チェースコンバイニング（Chase Combining）がある。チェースコンバイニングとは、初送と再送に同じデータ系列を送信するもので、再送において初送のデータ系列と再送のデータ系列との合成を行うことで、利得を向上させる方式である。これは、初送データに誤りがあったとしても、部分的に正確なものも含まれており、正確な部分の初送データと再送データとを合成することで、より高精度にデータを送信できるという考え方に基づいている。また、ＨＡＲＱ方式の別の例として、ＩＲ（Incremental Redundancy）がある。ＩＲとは、冗長度を増加させるものであり、再送においてパリティビットを送信することで、初送と組み合わせて冗長度を増加させ、誤り訂正機能により品質を向上させるものである。
【００２６】
非特許文献１（６章）に記載される論理チャネル（Logical channel、以下「ロジカルチャネル」という場合がある）について、図６を用いて説明する。図６は、ＬＴＥ方式の通信システムで使用される論理チャネルを説明する説明図である。図６（Ａ）には、下りロジカルチャネルと下りトランスポートチャネルとの間のマッピングを示す。図６（Ｂ）には、上りロジカルチャネルと上りトランスポートチャネルとの間のマッピングを示す。報知制御チャネル（Broadcast Control Channel：ＢＣＣＨ）は、報知システム制御情報のための下りチャネルである。論理チャネルであるＢＣＣＨは、トランスポートチャネルである報知チャネル（ＢＣＨ）、あるいは下り共有チャネル（ＤＬ−ＳＣＨ）へマッピングされる。
【００２７】
ページング制御チャネル（Paging Control Channel：ＰＣＣＨ）は、ページング信号を送信するための下りチャネルである。ＰＣＣＨは、移動端末のセルロケーションをネットワークが知らない場合に用いられる。論理チャネルであるＰＣＣＨは、トランスポートチャネルであるページングチャネル（ＰＣＨ）へマッピングされる。共有制御チャネル（Common Control Channel：ＣＣＣＨ）は、移動端末と基地局との間の送信制御情報のためのチャネルである。ＣＣＣＨは、移動端末がネットワークとの間でＲＲＣ接続（connection）を持っていない場合に用いられる。下り方向では、ＣＣＣＨは、トランスポートチャネルである下り共有チャネル（ＤＬ−ＳＣＨ）へマッピングされる。上り方向では、ＣＣＣＨは、トランスポートチャネルである上り共有チャネル（ＵＬ−ＳＣＨ）へマッピングされる。
【００２８】
マルチキャスト制御チャネル（Multicast Control Channel：ＭＣＣＨ）は、１対多の送信のための下りチャネルである。ネットワークから移動端末への１つあるいはいくつかのＭＴＣＨ用のＭＢＭＳ制御情報の送信のために用いられるチャネルである。ＭＣＣＨは、ＭＢＭＳ受信中の移動端末のみに用いられるチャネルである。ＭＣＣＨは、トランスポートチャネルである下り共有チャネル（ＤＬ−ＳＣＨ）あるいはマルチキャストチャネル（ＭＣＨ）へマッピングされる。
【００２９】
個別制御チャネル（Dedicated Control Channel：ＤＣＣＨ）は、移動端末とネットワークとの間の個別制御情報を送信するチャネルである。ＤＣＣＨは、上りでは上り共有チャネル（ＵＬ−ＳＣＨ）へマッピングされ、下りでは下り共有チャネル（ＤＬ−ＳＣＨ）にマッピングされる。
【００３０】
個別トラフィックチャネル（Dedicate Traffic Channel：ＤＴＣＨ）は、ユーザ情報の送信のための個別移動端末への１対１通信のチャネルである。ＤＴＣＨは、上りおよび下りともに存在する。ＤＴＣＨは、上りでは上り共有チャネル（ＵＬ−ＳＣＨ）へマッピングされ、下りでは下り共有チャネル（ＤＬ−ＳＣＨ）へマッピングされる。
【００３１】
マルチキャストトラフィックチャネル（Multicast Traffic channel：ＭＴＣＨ）は、ネットワークから移動端末へのトラフィックデータ送信のための下りチャネルである。ＭＴＣＨは、ＭＢＭＳ受信中の移動端末のみに用いられるチャネルである。ＭＴＣＨは、下り共有チャネル（ＤＬ−ＳＣＨ）あるいはマルチキャストチャネル（ＭＣＨ）へマッピングされる。
【００３２】
ＧＣＩとは、グローバルセル識別子（Global Cell Identity）のことである。ＬＴＥおよびＵＭＴＳ（Universal Mobile Telecommunication System）において、ＣＳＧセル（Closed Subscriber Group cell）が導入される。ＣＳＧについて以下に説明する（非特許文献３  ３．１章参照）。ＣＳＧ（Closed Subscriber Group）とは、利用可能な加入者をオペレータが特定しているセルである（特定加入者用セル）。特定された加入者は、ＰＬＭＮ（Public Land Mobile Network）の１つ以上のＥ-ＵＴＲＡＮセルにアクセスすることが許可される。特定された加入者がアクセスを許可されている１つ以上のＥ−ＵＴＲＡＮセルを「ＣＳＧ  ｃｅｌｌ（ｓ）」と呼ぶ。ただし、ＰＬＭＮにはアクセス制限がある。ＣＳＧセルとは、固有のＣＳＧアイデンティティ（CSG identity：ＣＳＧ  ＩＤ；ＣＳＧ−ＩＤ）を報知するＰＬＭＮの一部である。予め利用登録し、許可された加入者グループのメンバーは、アクセス許可情報であるところのＣＳＧ−ＩＤを用いてＣＳＧセルにアクセスする。
【００３３】
ＣＳＧ−ＩＤは、ＣＳＧセルまたはセルによって報知される。移動体通信システムにＣＳＧ−ＩＤは複数存在する。そして、ＣＳＧ−ＩＤは、ＣＳＧ関連のメンバーのアクセスを容易にするために、移動端末（ＵＥ）によって使用される。移動端末の位置追跡は、１つ以上のセルからなる区域を単位に行われる。位置追跡は、待受け状態であっても移動端末の位置を追跡し、呼び出す（移動端末が着呼する）ことを可能にするためである。この移動端末の位置追跡のための区域をトラッキングエリアと呼ぶ。ＣＳＧホワイトリスト（CSG White List）とは、加入者が属するＣＳＧセルのすべてのＣＳＧ  ＩＤが記録されている、ＵＳＩＭ（Universal Subscriber Identity Module）に格納されたリストである。ＣＳＧホワイトリストは、許可ＣＳＧリスト（Allowed CSG ID List）と呼ばれることもある。
【００３４】
「適切なセル」（Suitable cell）について以下に説明する（非特許文献３  ４．３章参照）。「適切なセル」（Suitable cell）とは、ＵＥが通常（normal）サービスを受けるためにキャンプオン（Camp ON）するセルである。そのようなセルは、以下の条件を満たすものとする。
【００３５】
（１）セルは、選択されたＰＬＭＮもしくは登録されたＰＬＭＮ、または「Ｅｑｕｉｖａｌｅｎｔ  ＰＬＭＮリスト」のＰＬＭＮの一部であること。
【００３６】
（２）ＮＡＳ（Non-Access Stratum）によって提供された最新情報にて、さらに以下の条件を満たすこと
（ａ）そのセルが禁じられた（barred）セルでないこと
（ｂ）そのセルが「ローミングのための禁止されたＬＡｓ」リストの一部ではなく、少なくとも１つのトラッキングエリア（Tracking Area:TA）の一部であること。その場合、そのセルは上記（１）を満たす必要がある
（ｃ）そのセルが、セル選択評価基準を満たしていること
（ｄ）そのセルが、ＣＳＧセルとしてシステム情報（System Information：ＳＩ）によって特定されたセルに関しては、ＣＳＧ−ＩＤはＵＥの「ＣＳＧホワイトリスト」（CSG WhiteList）の一部であること（ＵＥのCSG WhiteList中に含まれること）。
【００３７】
「アクセプタブルセル」（Acceptable cell）について以下に説明する（非特許文献３  ４．３章参照）。これは、ＵＥが限られたサービス（緊急通報）を受けるためにキャンプオンするセルである。そのようなセルは、以下のすべての要件を充足するものとする。つまり、Ｅ−ＵＴＲＡＮネットワークで緊急通報を開始するための最小のセットの要件を以下に示す。（１）そのセルが禁じられた（barred）セルでないこと。（２）そのセルが、セル選択評価基準を満たしていること。
【００３８】
セルにキャンプオン（camp on）するとは、ＵＥがセル選択／再選択（cell selection/reselection）処理を完了し、ＵＥがシステム情報とページング情報をモニタするセルを選択した状態である。
【００３９】
３ＧＰＰにおいて、Ｈｏｍｅ−ＮｏｄｅＢ（Ｈｏｍｅ−ＮＢ；ＨＮＢ）、Ｈｏｍｅ−ｅＮｏｄｅＢ（Ｈｏｍｅ−ｅＮＢ；ＨｅＮＢ）と称される基地局が検討されている。ＵＴＲＡＮにおけるＨＮＢ、またはＥ-ＵＴＲＡＮにおけるＨｅＮＢは、例えば家庭、法人、商業用のアクセスサービス向けの基地局である。非特許文献４には、ＨｅＮＢおよびＨＮＢへのアクセスの３つの異なるモードが開示されている。具体的には、オープンアクセスモード（Open access mode）と、クローズドアクセスモード（Closed access mode）と、ハイブリッドアクセスモード（Hybrid access mode）である。
【００４０】
各々のモードは、以下のような特徴を有する。オープンアクセスモードでは、ＨｅＮＢやＨＮＢは通常のオペレータのノーマルセルとして操作される。クローズドアクセスモードでは、ＨｅＮＢやＨＮＢがＣＳＧセルとして操作される。これはＣＳＧメンバーのみアクセス可能なＣＳＧセルである。ハイブリッドアクセスモードでは、非ＣＳＧメンバーも同時にアクセス許可されているＣＳＧセルである。ハイブリッドアクセスモードのセル（ハイブリッドセルとも称する）は、言い換えれば、オープンアクセスモードとクローズドアクセスモードの両方をサポートするセルである。
【００４１】
３ＧＰＰでは、全ＰＣＩ（Physical Cell Identity）を、ＣＳＧセル用とｎｏｎ−ＣＳＧセル用とに分割（ＰＣＩスプリットと称する）することが議論されている（非特許文献５参照）。またＰＣＩスプリット情報は、システム情報にて基地局から傘下の移動端末に対して報知されることが議論されている。非特許文献５は、ＰＣＩスプリットを用いた移動端末の基本動作を開示する。ＰＣＩスプリット情報を有していない移動端末は、全ＰＣＩを用いて（例えば５０４コード全てを用いて）セルサーチを行う必要がある。これに対して、ＰＣＩスプリット情報を有する移動端末は、当該ＰＣＩスプリット情報を用いてセルサーチを行うことが可能である。
【００４２】
また３ＧＰＰでは、リリース１０として、ロングタームエボリューションアドヴァンスド（Long Term Evolution Advanced：ＬＴＥ−Ａ）の規格策定が進められている（非特許文献６、非特許文献７参照）。
【００４３】
ＬＴＥ−Ａシステムでは、高い通信速度、セルエッジでの高いスループット、新たなカバレッジエリアなどを得るために、リレー（Relay：リレーノード（ＲＮ））をサポートすることが検討されている。リレーノードは、ドナーセル（Donor cell；Donor eNB；ＤｅＮＢ）を介して無線アクセスネットワークに無線で接続される。ドナーセルの範囲内で、ネットワーク（Network：ＮＷ）からリレーへのリンクは、ネットワークからＵＥへのリンクと同じ周波数バンドを共用する。この場合、リリース８のＵＥも該ドナーセルに接続することを可能とする。ドナーセルとリレーノードとの間のリンクをバックホールリンク（backhaul link）と称し、リレーノードとＵＥとの間のリンクをアクセスリンク（access link）と称す。
【００４４】
ＦＤＤ（Frequency Division Duplex）におけるバックホールリンクの多重方法として、ＤｅＮＢからＲＮへの送信は下り（ＤＬ）周波数バンドで行われ、ＲＮからＤｅＮＢへの送信は上り（ＵＬ）周波数バンドで行われる。リレーにおけるリソースの分割方法として、ＤｅＮＢからＲＮへのリンクおよびＲＮからＵＥへのリンクが一つの周波数バンドで時分割多重され、ＲＮからＤｅＮＢへのリンクおよびＵＥからＲＮへのリンクも一つの周波数バンドで時分割多重される。こうすることで、リレーにおいて、リレーの送信が自リレーの受信へ干渉することを防ぐことができる。
【００４５】
ＬＴＥ−Ａで検討される技術の一つとして、ヘテロジーニアスネットワークス（Heterogeneous Networks：ＨｅｔＮｅｔｓ）が加えられた（非特許文献８参照）。ヘテロジーニアスネットワークスは、通常のｅＮＢ（マクロセル）に、ＨｅＮＢやリレーノードのようなローカルエリアレンジノードを一つ以上組み入れたネットワークである。
【００４６】
ヘテロジーニアスネットワークスにおいては、最も受信電力の強いセルへセルセレクションを行うことが必ずしも最適になるとは限らないという問題が存在する。また、バックホールリンクの通信品質が悪いセルには接続しない方がよい場合があるが、従来のセルセレクションにおいては、バックホールリンクの通信品質を考慮に入れていないという問題がある。さらに、ヘテロジーニアスネットワークでは、下りリンクで最適なセルと、上りリンクで最適なセルとは異なるという問題がある。従来のセルセレクションでは、下りリンクで最適なセルへのセルセレクションが行われるため、上りリンクについて何ら考慮されていない。これらの問題は、セルセレクションに限らず、セルリセレクションやハンドオーバなどのサービングセルの選択あるいは変更の際に生じる。
【００４７】
これらの問題は、ヘテロジーニアスネットワークにおけるＵＥあるいはノード間の干渉の増大や、各ノードのキャパシティの低減という問題につながる。将来の膨大な数のローカルエリアレンジノードの運用やそれらの柔軟な配置を可能とするためには、これらの問題を解決することが重要な課題となっている。
【００４８】
非特許文献８では、これらの問題を解消するために、バックホールリンクの品質を考慮したセルセレクションや、弱受信電力のセルの測定とトリガメカニズムとが必要であることが提案されている。非特許文献９には、リレーノードのバックホールリンクの通信品質を考慮したセルセレクション方法が開示されている。非特許文献１０には、上りリンクと下りリンクとで異なるセルに独立に接続させることが開示されている。
【先行技術文献】
【非特許文献】
【００４９】
【非特許文献１】３ＧＰＰ  ＴＳ３６．３００  Ｖ９．１．０  ４．６．１章、４．６．２章、５章、６章、１０．１．２章、１０．７章
【非特許文献２】３ＧＰＰ  Ｒ１−０７２９６３
【非特許文献３】３ＧＰＰ  ＴＳ３６．３０４  Ｖ９．０．０  ３．１章、４．３章、５．２．４章
【非特許文献４】３ＧＰＰ  Ｓ１−０８３４６１
【非特許文献５】３ＧＰＰ  Ｒ２−０８２８９９
【非特許文献６】３ＧＰＰ  ＴＲ  ３６．８１４  Ｖ１.１.１
【非特許文献７】３ＧＰＰ  ＴＲ  ３６．９１２  Ｖ９.０.０
【非特許文献８】３ＧＰＰ  Ｒ１−０９４８８３
【非特許文献９】３ＧＰＰ  Ｒ２−０９６８８７
【非特許文献１０】３ＧＰＰ  Ｒ１−０９４２４６
【発明の概要】
【発明が解決しようとする課題】
【００５０】
非特許文献８では、前述の問題を解消するために、バックホールリンクの品質を考慮したセルセレクションや、弱受信電力のセルの測定とトリガメカニズムとが必要であることが提案されている。しかし、これらの具体的な方法については、何ら記載されていない。
【００５１】
非特許文献９には、リレーノードがバックホールリンクの品質を報知して、ＵＥはそれを考慮してセルセレクションを行うと記載されている。しかし、どのようなメカニズムで該バックホールリンクの品質を考慮に入れるのか、具体的な方法については、何ら開示されていない。
【００５２】
非特許文献１０には、上りリンクと下りリンクとで異なるセルに独立に接続させることが開示されているが、この具体的方法については、何ら記載されていない。また、上りリンクと下りリンクとで異なるセルに接続させることは、ＵＥがサービングセルを複数有することになるため、通信制御が非常に複雑になってしまうと考えられる。
【００５３】
本発明の目的は、膨大な数のローカルエリアレンジノードの運用やそれらの柔軟な配置を可能とする移動通信システムを提供することである。
【課題を解決するための手段】
【００５４】
本発明の移動体通信システムは、コアネットワークに接続される複数の基地局装置と、各前記基地局装置と無線通信可能な移動端末装置とを含み、前記複数の基地局装置の通信可能な範囲である複数のセルの少なくとも一部分が重複する移動体通信システムであって、前記移動端末装置は、各セルにおける基地局装置からの信号の受信品質と、前記基地局装置と前記コアネットワークとの間の通信回線の通信品質とを含む選択情報に基づいて、前記複数のセルの中から、通信対象となる基地局装置のセルを選択することを特徴とする。
【００５５】
また本発明の移動体通信システムは、複数の基地局装置と、各前記基地局装置と無線通信可能な移動端末装置と、前記複数の基地局装置のうちの少なくとも１つの基地局装置と前記移動端末装置との間の無線通信を中継する中継装置とを含み、前記複数の基地局装置の通信可能な範囲である複数のセルの少なくとも一部分が重複する移動体通信システムであって、前記移動端末装置は、各セルにおける基地局装置からの信号の受信品質と、前記基地局装置と前記中継装置との間の通信回線の通信品質とを含む選択情報に基づいて、前記複数のセルの中から、通信対象となる基地局装置のセルを選択することを特徴とする。
【００５６】
また本発明の移動体通信システムは、複数の基地局装置と、各前記基地局装置と無線通信可能な移動端末装置とを含み、前記複数の基地局装置の通信可能な範囲である複数のセルの少なくとも一部分が重複する移動体通信システムであって、前記移動端末装置は、各セルにおける基地局装置からの信号の受信品質と、各セルにおける移動端末装置から基地局装置への上り通信回線の状態とを含む選択情報に基づいて、前記複数のセルの中から、通信対象となる基地局装置のセルを選択することを特徴とする。
【発明の効果】
【００５７】
また本発明の移動体通信システムによれば、移動端末装置は、各セルにおける基地局装置からの信号の受信品質と、基地局装置とコアネットワークとの間の通信回線の通信品質とを含む選択情報に基づいて、複数のセルの中から、通信対象となる基地局装置のセルを選択する。これによって、各セルの受信品質に加えて、基地局装置とコアネットワークとの間の通信回線の通信品質を考慮に入れて、通信対象となる基地局装置のセルを選択することができる。したがって、たとえば、ヘテロジーニアスネットワークスにおける干渉問題およびキャパシティ問題を改善することが可能となるので、膨大な数のローカルエリアレンジノードの運用およびそれらの柔軟な配置が可能となる。
【００５８】
本発明の移動体通信システムによれば、移動端末装置は、各セルにおける基地局装置からの信号の受信品質と、基地局装置と中継装置との間の通信回線の通信品質とを含む選択情報に基づいて、複数のセルの中から、通信対象となる基地局装置のセルを選択する。これによって、各セルの受信品質に加えて、基地局装置と中継装置との間の通信回線の通信品質を考慮に入れて、通信対象となる基地局装置のセルを選択することができる。したがって、たとえば、ヘテロジーニアスネットワークスにおける干渉問題およびキャパシティ問題を改善することが可能となるので、膨大な数のローカルエリアレンジノードの運用およびそれらの柔軟な配置が可能となる。
【００５９】
また本発明の移動体通信システムによれば、移動端末装置は、各セルにおける基地局装置からの信号の受信品質と、各セルにおける移動端末装置から基地局装置への上り通信回線の状態とを含む選択情報に基づいて、複数のセルの中から、通信対象となる基地局装置のセルを選択する。これによって、各セルの受信品質に加えて、各セルの上り通信回線の状態を考慮に入れて、通信対象となる基地局装置のセルを選択することができる。したがって、たとえば、ヘテロジーニアスネットワークスにおける干渉問題およびキャパシティ問題を改善することが可能となるので、膨大な数のローカルエリアレンジノードの運用およびそれらの柔軟な配置が可能となる。
【図面の簡単な説明】
【００６０】
【図１】ＬＴＥ方式の通信システムの構成を示す説明図である。
【図２】ＬＴＥ方式の通信システムで使用される無線フレームの構成を示す説明図である。
【図３】ＭＢＳＦＮフレームの構成を示す説明図である。
【図４】ＬＴＥ方式の通信システムで使用される物理チャネルを説明する説明図である。
【図５】ＬＴＥ方式の通信システムで使用されるトランスポートチャネルを説明する説明図である。
【図６】ＬＴＥ方式の通信システムで使用される論理チャネルを説明する説明図である。
【図７】現在３ＧＰＰにおいて議論されているＬＴＥ方式の移動体通信システムの全体的な構成を示すブロック図である。
【図８】本発明に係る移動端末（図７の移動端末７１）の構成を示すブロック図である。
【図９】本発明に係る基地局（図７の基地局７２）の構成を示すブロック図である。
【図１０】本発明に係るＭＭＥ（図７のＭＭＥ部７３）の構成を示すブロック図である。
【図１１】本発明に係るＨｅＮＢＧＷである図７に示すＨｅＮＢＧＷ７４の構成を示すブロック図である。
【図１２】ＬＴＥ方式の通信システムにおいて移動端末（ＵＥ）が行うセルサーチから待ち受け動作までの概略を示すフローチャートである。
【図１３】非特許文献３の技術によるＵＥのセルリセレクションの処理手順を示すフローチャートである。
【図１４】セルリセレクションのための測定開始用閾値に、サービングセルのバックホールリンクの通信品質を入れ込んだセルリセレクションの処理手順を示すフローチャートである。
【図１５】サービングセルの測定値にサービングセルのバックホールリンクの通信品質を入れ込んだセルリセレクションの処理手順を示すフローチャートである。
【図１６】セルリセレクションのための測定開始用閾値として、バックホール閾値（開始）を設けたセルリセレクションの処理手順を示すフローチャートである。
【図１７】セルランキング時のセルの測定値に各セルのバックホールリンクの通信品質を入れこんだセルリセレクションの処理手順を示すフローチャートである。
【図１８】受信品質が、ある値以上のセルがある場合に、バックホールリンクの受信品質を考慮してセルランキングを行うセルリセレクションの処理手順を示すフローチャートである。
【図１９】バックホールリンクの通信品質が、ある値以上のセルがある場合、セルの受信品質を考慮してセルランキングを行うセルリセレクションの処理手順を示すフローチャートである。
【図２０】上りリンクの状態も考慮に入れたセルリセレクションの処理手順を示すフローチャートである。
【図２１】受信品質が、ある値以上のセルがある場合に、パスロスを考慮してセルランキングを行うセルリセレクションの処理手順を示すフローチャートである。
【図２２】本発明の実施の形態１から実施の形態４の変形例１で開示した方法を組合せたセルリセレクションの処理手順を示すフローチャートの一例である。
【図２３】非特許文献３の技術によるＵＥのセルセレクションの処理手順を示すフローチャートである。
【図２４】本実施の形態で開示する、セルのバックホールリンクの通信品質および上りリンクの状態を考慮に入れたセルセレクションの処理手順を示すフローチャートである。
【図２５】非特許文献１の技術による通常のＨＯの処理手順を示すシーケンス図である。
【図２６】サービングセルによるターゲットセルの選択手順の一例を示すフローチャートである。
【図２７】本実施の形態で開示する、セルのバックホールリンクの通信品質および上りリンクの状態を考慮に入れたＨＯの処理手順を示すフローチャートである。
【発明を実施するための形態】
【００６１】
実施の形態１．
図７は、現在３ＧＰＰにおいて議論されているＬＴＥ方式の移動体通信システムの全体的な構成を示すブロック図である。現在３ＧＰＰにおいては、ＣＳＧ（Closed Subscriber Group）セル（Ｅ−ＵＴＲＡＮのＨｏｍｅ−ｅＮｏｄｅＢ（Ｈｏｍｅ−ｅＮＢ；ＨｅＮＢ）、ＵＴＲＡＮのＨｏｍｅ−ＮＢ（ＨＮＢ））と、ｎｏｎ−ＣＳＧセル（Ｅ−ＵＴＲＡＮのｅＮｏｄｅＢ（ｅＮＢ）、ＵＴＲＡＮのＮｏｄｅＢ（ＮＢ）、ＧＥＲＡＮのＢＳＳ）とを含めたシステムの全体的な構成が検討されており、Ｅ−ＵＴＲＡＮについては、図７のような構成が提案されている（非特許文献１  ４．６．１.章参照）。
【００６２】
図７について説明する。移動端末装置（以下「移動端末」または「ＵＥ」という）７１は、基地局装置（以下「基地局」という）７２と送受信を行う。基地局７２は、ｅＮＢ７２−１と、Ｈｏｍｅ−ｅＮＢ７２−２とに分類される。ｅＮＢ７２−１は、ＭＭＥ、あるいはＳ−ＧＷ、あるいはＭＭＥおよびＳ−ＧＷを含むＭＭＥ／Ｓ−ＧＷ部（以下「ＭＭＥ部」という）７３とＳ１インタフェースにより接続され、ｅＮＢ７２−１とＭＭＥ部７３との間で制御情報が通信される。ｅＮＢ７２−１は、ＭＭＥ部７３を介してコアネットワークに接続される。ひとつのｅＮＢ７２−１に対して、複数のＭＭＥ部７３が接続されてもよい。ｅＮＢ７２−１間は、Ｘ２インタフェースにより接続され、ｅＮＢ７２−１間で制御情報が通信される。
【００６３】
Ｈｏｍｅ−ｅＮＢ７２−２は、ＭＭＥ部７３とＳ１インタフェースにより接続され、Ｈｏｍｅ−ｅＮＢ７２−２とＭＭＥ部７３との間で制御情報が通信される。ひとつのＭＭＥ部７３に対して、複数のＨｏｍｅ−ｅＮＢ７２−２が接続される。あるいは、Ｈｏｍｅ−ｅＮＢ７２−２は、ＨｅＮＢＧＷ（Home-eNB GateWay）７４を介してＭＭＥ部７３と接続される。Ｈｏｍｅ−ｅＮＢ７２−２とＨｅＧＷ７４とは、Ｓ１インタフェースにより接続され、ＨｅＮＢＧＷ７４とＭＭＥ部７３とはＳ１インタフェースを介して接続される。Ｈｏｍｅ−ｅＮＢ７２−２は、ＭＭＥ部７３、またはＭＭＥ部７３およびＨｅＮＢＧＷ７４を介して、コアネットワークに接続される。ひとつまたは複数のＨｏｍｅ−ｅＮＢ７２−２がひとつのＨｅＮＢＧＷ７４と接続され、Ｓ１インタフェースを通して情報が通信される。ＨｅＮＢＧＷ７４は、ひとつまたは複数のＭＭＥ部７３と接続され、Ｓ１インタフェースを通して情報が通信される。
【００６４】
さらに現在３ＧＰＰでは、以下のような構成が検討されている。Ｈｏｍｅ−ｅＮＢ７２−２間のＸ２インタフェースはサポートされない。ＭＭＥ部７３からは、ＨｅＮＢＧＷ７４はｅＮＢ７２−１として見える。Ｈｏｍｅ−ｅＮＢ７２−２からは、ＨｅＮＢＧＷ７４はＭＭＥ部７３として見える。Ｈｏｍｅ−ｅＮＢ７２−２が、ＨｅＮＢＧＷ７４を介してＭＭＥ部７３に接続されるか否かに関係なく、Ｈｏｍｅ−ｅＮＢ７２−２とＭＭＥ部７３との間のインタフェースは、Ｓ１インタフェースで同じである。複数のＭＭＥ部７３にまたがるような、Ｈｏｍｅ−ｅＮＢ７２−２へのモビリティ、あるいはＨｏｍｅ−ｅＮＢ７２−２からのモビリティはサポートされない。Ｈｏｍｅ−ｅＮＢ７２−２は、唯一のセルをサポートする。
【００６５】
図８は、本発明に係る移動端末（図７の移動端末７１）の構成を示すブロック図である。図８に示す移動端末７１の送信処理を説明する。まず、プロトコル処理部８０１からの制御データ、およびアプリケーション部８０２からのユーザデータが、送信データバッファ部８０３へ保存される。送信データバッファ部８０３に保存されたデータは、エンコーダー部８０４へ渡され、誤り訂正などのエンコード処理が施される。エンコード処理を施さずに、送信データバッファ部８０３から変調部８０５へ直接出力されるデータが存在してもよい。エンコーダー部８０４でエンコード処理されたデータは、変調部８０５にて変調処理が行われる。変調されたデータは、ベースバンド信号に変換された後、周波数変換部８０６へ出力され、無線送信周波数に変換される。その後、アンテナ８０７から基地局７２に送信信号が送信される。
【００６６】
また、移動端末７１の受信処理は、以下のとおりに実行される。基地局７２からの無線信号がアンテナ８０７により受信される。受信信号は、周波数変換部８０６にて無線受信周波数からベースバンド信号に変換され、復調部８０８において復調処理が行われる。復調後のデータは、デコーダー部８０９へ渡され、誤り訂正などのデコード処理が行われる。デコードされたデータのうち、制御データはプロトコル処理部８０１へ渡され、ユーザデータはアプリケーション部８０２へ渡される。移動端末７１の一連の処理は、制御部８１０によって制御される。よって制御部８１０は、図８では省略しているが、各部８０１〜８０９と接続している。
【００６７】
図９は、本発明に係る基地局（図７の基地局７２）の構成を示すブロック図である。図９に示す基地局７２の送信処理を説明する。ＥＰＣ通信部９０１は、基地局７２とＥＰＣ（ＭＭＥ部７３、ＨｅＮＢＧＷ７４など）との間のデータの送受信を行う。他基地局通信部９０２は、他の基地局との間のデータの送受信を行う。Ｈｏｍｅ−ｅＮＢ７２−２間のＸ２インタフェースはサポートされない方向であるため、Ｈｏｍｅ−ｅＮＢ７２−２では、他基地局通信部９０２が存在しないことも考えられる。ＥＰＣ通信部９０１および他基地局通信部９０２は、それぞれプロトコル処理部９０３と情報の受け渡しを行う。プロトコル処理部９０３からの制御データ、ならびにＥＰＣ通信部９０１および他基地局通信部９０２からのユーザデータおよび制御データは、送信データバッファ部９０４へ保存される。
【００６８】
送信データバッファ部９０４に保存されたデータは、エンコーダー部９０５へ渡され、誤り訂正などのエンコード処理が施される。エンコード処理を施さずに、送信データバッファ部９０４から変調部９０６へ直接出力されるデータが存在してもよい。エンコードされたデータは、変調部９０６にて変調処理が行われる。変調されたデータは、ベースバンド信号に変換された後、周波数変換部９０７へ出力され、無線送信周波数に変換される。その後、アンテナ９０８より一つもしくは複数の移動端末７１に対して送信信号が送信される。
【００６９】
また、基地局７２の受信処理は以下のとおりに実行される。ひとつもしくは複数の移動端末７１からの無線信号が、アンテナ９０８により受信される。受信信号は、周波数変換部９０７にて無線受信周波数からベースバンド信号に変換され、復調部９０９で復調処理が行われる。復調されたデータは、デコーダー部９１０へ渡され、誤り訂正などのデコード処理が行われる。デコードされたデータのうち、制御データはプロトコル処理部９０３あるいはＥＰＣ通信部９０１、他基地局通信部９０２へ渡され、ユーザデータはＥＰＣ通信部９０１および他基地局通信部９０２へ渡される。基地局７２の一連の処理は、制御部９１１によって制御される。よって制御部９１１は、図９では省略しているが、各部９０１〜９１０と接続している。
【００７０】
現在３ＧＰＰにおいて議論されているＨｏｍｅ−ｅＮＢ７２−２の機能を以下に示す（非特許文献１  ４．６．２章参照）。Ｈｏｍｅ−ｅＮＢ７２−２は、ｅＮＢ７２−１と同じ機能を有する。加えて、ＨｅＮＢＧＷ７４と接続する場合、Ｈｏｍｅ−ｅＮＢ７２−２は、適当なサービングＨｅＮＢＧＷ７４を発見する機能を有する。Ｈｏｍｅ−ｅＮＢ７２−２は、１つのＨｅＮＢＧＷ７４に唯一接続する。つまり、ＨｅＮＢＧＷ７４との接続の場合は、Ｈｏｍｅ−ｅＮＢ７２−２は、Ｓ１インタフェースにおけるＦｌｅｘ機能を使用しない。Ｈｏｍｅ−ｅＮＢ７２−２は、１つのＨｅＮＢＧＷ７４に接続されると、同時に別のＨｅＮＢＧＷ７４や別のＭＭＥ部７３に接続しない。
【００７１】
Ｈｏｍｅ−ｅＮＢ７２−２のＴＡＣとＰＬＭＮ  ＩＤは、ＨｅＮＢＧＷ７４によってサポートされる。Ｈｏｍｅ−ｅＮＢ７２−２をＨｅＮＢＧＷ７４に接続すると、「ＵＥ  ａｔｔａｃｈｍｅｎｔ」でのＭＭＥ部７３の選択は、Ｈｏｍｅ−ｅＮＢ７２−２の代わりに、ＨｅＮＢＧＷ７４によって行われる。Ｈｏｍｅ−ｅＮＢ７２−２は、ネットワーク計画なしで配備される可能性がある。この場合、Ｈｏｍｅ−ｅＮＢ７２−２は、１つの地理的な領域から別の地理的な領域へ移される。したがって、この場合のＨｏｍｅ−ｅＮＢ７２−２は、位置によって、異なったＨｅＮＢＧＷ７４に接続する必要がある。
【００７２】
図１０は、本発明に係るＭＭＥ（図７のＭＭＥ部７３）の構成を示すブロック図である。ＰＤＮ  ＧＷ通信部１００１は、ＭＭＥ部７３とＰＤＮ  ＧＷとの間のデータの送受信を行う。基地局通信部１００２は、ＭＭＥ部７３と基地局７２との間のＳ１インタフェースによるデータの送受信を行う。ＰＤＮ  ＧＷから受信したデータがユーザデータであった場合、ユーザデータは、ＰＤＮ  ＧＷ通信部１００１から、ユーザプレイン通信部１００３経由で基地局通信部１００２に渡され、１つあるいは複数の基地局７２へ送信される。基地局７２から受信したデータがユーザデータであった場合、ユーザデータは、基地局通信部１００２から、ユーザプレイン通信部１００３経由でＰＤＮ  ＧＷ通信部１００１に渡され、ＰＤＮ  ＧＷへ送信される。
【００７３】
ＰＤＮ  ＧＷから受信したデータが制御データであった場合、制御データは、ＰＤＮ  ＧＷ通信部１００１から制御プレイン制御部１００５へ渡される。基地局７２から受信したデータが制御データであった場合、制御データは、基地局通信部１００２から制御プレイン制御部１００５へ渡される。
【００７４】
ＨｅＮＢＧＷ通信部１００４は、ＨｅＮＢＧＷ７４が存在する場合に設けられ、情報種別によって、ＭＭＥ部７３とＨｅＮＢＧＷ７４との間のインタフェース（ＩＦ）によるデータの送受信を行う。ＨｅＮＢＧＷ通信部１００４から受信した制御データは、ＨｅＮＢＧＷ通信部１００４から制御プレイン制御部１００５へ渡される。制御プレイン制御部１００５での処理の結果は、ＰＤＮ  ＧＷ通信部１００１経由でＰＤＮ  ＧＷへ送信される。また、制御プレイン制御部１００５で処理された結果は、基地局通信部１００２経由でＳ１インタフェースにより１つあるいは複数の基地局７２へ送信され、またＨｅＮＢＧＷ通信部１００４経由で１つあるいは複数のＨｅＮＢＧＷ７４へ送信される。
【００７５】
制御プレイン制御部１００５には、ＮＡＳセキュリティ部１００５−１、ＳＡＥベアラコントロール部１００５−２、アイドルステート（Idle State）モビリティ管理部１００５―３などが含まれ、制御プレインに対する処理全般を行う。ＮＡＳセキュリティ部１００５―１は、ＮＡＳ（Non-Access Stratum）メッセージのセキュリティなどを行う。ＳＡＥベアラコントロール部１００５―２は、ＳＡＥ（System Architecture Evolution）のベアラの管理などを行う。アイドルステートモビリティ管理部１００５―３は、待受け状態（ＬＴＥ−ＩＤＬＥ状態、単にアイドルとも称される）のモビリティ管理、待受け状態時のページング信号の生成および制御、傘下の１つあるいは複数の移動端末７１のトラッキングエリア（ＴＡ）の追加、削除、更新、検索、トラッキングエリアリスト（TA List）管理などを行う。
【００７６】
ＭＭＥ部７３は、ＵＥが登録されている（registered）追跡領域（トラッキングエリア：Tracking Area：ＴＡ）に属するセルへ、ページングメッセージを送信することで、ページングプロトコルに着手する。ＭＭＥ部７３に接続されるＨｏｍｅ−ｅＮＢ７２−２のＣＳＧの管理やＣＳＧ−ＩＤの管理、そしてホワイトリスト管理は、アイドルステートモビリティ管理部１００５―３で行ってもよい。
【００７７】
ＣＳＧ−ＩＤの管理では、ＣＳＧ−ＩＤに対応する移動端末とＣＳＧセルとの関係が管理（追加、削除、更新、検索）される。例えば、あるＣＳＧ−ＩＤにユーザアクセス登録された一つまたは複数の移動端末と該ＣＳＧ−ＩＤに属するＣＳＧセルとの関係であってもよい。ホワイトリスト管理では、移動端末とＣＳＧ−ＩＤとの関係が管理（追加、削除、更新、検索）される。例えば、ホワイトリストには、ある移動端末がユーザ登録した一つまたは複数のＣＳＧ−ＩＤが記憶されてもよい。これらのＣＳＧに関する管理は、ＭＭＥ部７３の中の他の部分で行われてもよい。ＭＭＥ部７３の一連の処理は、制御部１００６によって制御される。よって制御部１００６は、図１０では省略しているが、各部１００１〜１００５と接続している。
【００７８】
現在３ＧＰＰにおいて議論されているＭＭＥの機能を以下に示す（非特許文献１  ４．６．２章参照）。ＭＭＥは、ＣＳＧ（Closed Subscriber Groups）のメンバーの１つ、あるいは複数の移動端末のアクセスコントロールを行う。ＭＭＥは、ページングの最適化（Paging optimization）の実行をオプションとして認める。
【００７９】
図１１は、本発明に係るＨｅＮＢＧＷである図７に示すＨｅＮＢＧＷ７４の構成を示すブロック図である。ＥＰＣ通信部１１０１は、ＨｅＮＢＧＷ７４とＭＭＥ部７３との間のＳ１インタフェースによるデータの送受信を行う。基地局通信部１１０２は、ＨｅＮＢＧＷ７４とＨｏｍｅ−ｅＮＢ７２−２との間のＳ１インタフェースによるデータの送受信を行う。ロケーション処理部１１０３は、ＥＰＣ通信部１１０１経由で渡されたＭＭＥ部７３からのデータのうちレジストレーション情報などを、複数のＨｏｍｅ−ｅＮＢ７２−２に送信する処理を行う。ロケーション処理部１１０３で処理されたデータは、基地局通信部１１０２に渡され、ひとつまたは複数のＨｏｍｅ−ｅＮＢ７２−２にＳ１インタフェースを介して送信される。
【００８０】
ロケーション処理部１１０３での処理を必要とせず通過（透過）させるだけのデータは、ＥＰＣ通信部１１０１から基地局通信部１１０２に渡され、ひとつまたは複数のＨｏｍｅ−ｅＮＢ７２−２にＳ１インタフェースを介して送信される。ＨｅＮＢＧＷ７４の一連の処理は、制御部１１０４によって制御される。よって制御部１１０４は、図１１では省略しているが、各部１１０１〜１１０３と接続している。
【００８１】
現在３ＧＰＰにおいて議論されているＨｅＮＢＧＷ７４の機能を以下に示す（非特許文献１  ４．６．２章参照）。ＨｅＮＢＧＷ７４は、Ｓ１アプリケーションについてリレーする。Ｈｏｍｅ−ｅＮＢ７２−２へのＭＭＥ部７３の手順の一部分であるが、ＨｅＮＢＧＷ７４は、移動端末７１に関係しないＳ１アプリケーションについて終端する。ＨｅＮＢＧＷ７４が配置されるとき、移動端末７１に無関係な手順がＨｏｍｅ−ｅＮＢ７２−２とＨｅＮＢＧＷ７４との間、そしてＨｅＮＢＧＷ７４とＭＭＥ部７３との間を通信される。ＨｅＮＢＧＷ７４と他のノードとの間でＸ２インタフェースは設定されない。ＨｅＮＢＧＷ７４は、ページングの最適化（Paging optimization）の実行をオプションとして認める。
【００８２】
次に移動体通信システムにおける一般的なセルサーチ方法の一例を示す。図１２は、ＬＴＥ方式の通信システムにおいて移動端末（ＵＥ）が行うセルサーチから待ち受け動作までの概略を示すフローチャートである。移動端末は、セルサーチを開始すると、ステップＳＴ１２０１で、周辺の基地局から送信される第一同期信号（Ｐ−ＳＳ）、および第二同期信号（Ｓ−ＳＳ）を用いて、スロットタイミング、フレームタイミングの同期をとる。Ｐ−ＳＳとＳ−ＳＳとを合わせて、同期信号（ＳＳ）には、セル毎に割り当てられたＰＣＩ（Physical Cell Identity）に１対１に対応するシンクロナイゼーションコードが割り当てられている。ＰＣＩの数は現在５０４通りが検討されており、この５０４通りのＰＣＩを用いて同期をとるとともに、同期がとれたセルのＰＣＩを検出（特定）する。
【００８３】
次に同期がとれたセルに対して、ステップＳＴ１２０２で、基地局からセル毎に送信される参照信号ＲＳ（Reference Signal）を検出し受信電力の測定を行う。参照信号ＲＳには、ＰＣＩと１対１に対応したコードが用いられており、そのコードで相関をとることによって他セルと分離できる。ステップＳＴ１２０１で特定したＰＣＩから、該セルのＲＳ用のコードを導出することによって、ＲＳを検出し、ＲＳ受信電力を測定することが可能となる。
【００８４】
次にステップＳＴ１２０３で、ステップＳＴ１２０２までで検出されたひとつ以上のセルの中から、ＲＳの受信品質が最も良いセル（例えば、ＲＳの受信電力が最も高いセル、つまりベストセル）を選択する。
【００８５】
次にステップＳＴ１２０４で、ベストセルのＰＢＣＨを受信して、報知情報であるＢＣＣＨを得る。ＰＢＣＨ上のＢＣＣＨには、セル構成情報が含まれるＭＩＢ（Master Information Block）がのる。したがってＰＢＣＨを受信してＢＣＣＨを得ることで、ＭＩＢが得られる。ＭＩＢの情報としては、例えば、ＤＬ（ダウンリンク）システム帯域幅（送信帯域幅設定（transmission bandwidth configuration：dl-bandwidth）とも呼ばれる）、送信アンテナ数、ＳＦＮ（System Frame Number）などがある。
【００８６】
次にステップＳＴ１２０５で、ＭＩＢのセル構成情報をもとに該セルのＤＬ−ＳＣＨを受信して、報知情報ＢＣＣＨの中のＳＩＢ（System Information Block）１を得る。ＳＩＢ１には、該セルへのアクセスに関する情報や、セルセレクションに関する情報、他のＳＩＢ（ＳＩＢｋ；ｋ≧２の整数）のスケジューリング情報が含まれる。また、ＳＩＢ１には、ＴＡＣ（Tracking Area Code）が含まれる。
【００８７】
次にステップＳＴ１２０６で、移動端末は、ステップＳＴ１２０５で受信したＳＩＢ１のＴＡＣと、移動端末が既に保有しているＴＡＣとを比較する。比較した結果、同じならば、該セルで待ち受け動作に入る。比較して異なる場合は、移動端末は該セルを通してコアネットワーク（Core Network，ＥＰＣ）（ＭＭＥなどが含まれる）へ、ＴＡＵ（Tracking Area Update）を行うためにＴＡの変更を要求する。コアネットワークは、ＴＡＵ要求信号とともに移動端末から送られてくる該移動端末の識別番号（ＵＥ−ＩＤなど）をもとに、ＴＡの更新を行う。コアネットワークは、ＴＡの更新後、移動端末にＴＡＵ受領信号を送信する。移動端末は、該セルのＴＡＣで、移動端末が保有するＴＡＣ（あるいはＴＡＣリスト）を書き換える（更新する）。その後、移動端末は、該セルで待ち受け動作に入る。
【００８８】
ＬＴＥやＵＭＴＳ（Universal Mobile Telecommunication System）においては、ＣＳＧ（Closed Subscriber Group）セルの導入が検討されている。前述したように、ＣＳＧセルに登録したひとつまたは複数の移動端末のみにアクセスが許される。ＣＳＧセルと登録されたひとつまたは複数の移動端末とがひとつのＣＳＧを構成する。このように構成されたＣＳＧには、ＣＳＧ−ＩＤと呼ばれる固有の識別番号が付される。なお、ひとつのＣＳＧには、複数のＣＳＧセルがあってもよい。移動端末は、どれかひとつのＣＳＧセルに登録すれば、そのＣＳＧセルが属するＣＳＧの他のＣＳＧセルにはアクセス可能となる。
【００８９】
また、ＬＴＥでのＨｏｍｅ−ｅＮＢやＵＭＴＳでのＨｏｍｅ−ＮＢが、ＣＳＧセルとして使われることがある。ＣＳＧセルに登録した移動端末は、ホワイトリストを有する。具体的には、ホワイトリストはＳＩＭ（Subscriber Identity Module）／ＵＳＩＭに記憶される。ホワイトリストには、移動端末が登録したＣＳＧセルのＣＳＧ情報が格納される。ＣＳＧ情報として具体的には、ＣＳＧ−ＩＤ、ＴＡＩ（Tracking Area Identity）、ＴＡＣなどが考えられる。ＣＳＧ−ＩＤとＴＡＣとが対応付けられていれば、どちらか一方でよい。また、ＣＳＧ−ＩＤおよびＴＡＣと、ＧＣＩ（Global Cell Identity）とが対応付けられていればＧＣＩでもよい。
【００９０】
以上から、ホワイトリストを有しない（本発明においては、ホワイトリストが空（empty）の場合も含める）移動端末は、ＣＳＧセルにアクセスすることは不可能であり、ｎｏｎ−ＣＳＧセルのみにしかアクセスできない。一方、ホワイトリストを有する移動端末は、登録したＣＳＧ−ＩＤのＣＳＧセルにも、ｎｏｎ−ＣＳＧセルにもアクセスすることが可能となる。
【００９１】
３ＧＰＰでは、全ＰＣＩ（Physical Cell Identity）を、ＣＳＧセル用とｎｏｎ−ＣＳＧセル用とに分割（ＰＣＩスプリットと称する）することが議論されている（非特許文献５参照）。またＰＣＩスプリット情報は、システム情報にて基地局から傘下の移動端末に対して報知されることが議論されている。ＰＣＩスプリットを用いた移動端末の基本動作を開示する。ＰＣＩスプリット情報を有していない移動端末は、全ＰＣＩを用いて（例えば５０４コード全てを用いて）セルサーチを行う必要がある。これに対して、ＰＣＩスプリット情報を有する移動端末は、当該ＰＣＩスプリット情報を用いてセルサーチを行うことが可能である。
【００９２】
また３ＧＰＰでは、ハイブリッドセルのためのＰＣＩは、ＣＳＧセル用のＰＣＩ範囲の中には含まれないことが決定されている（非特許文献１  １０．７章参照）。
【００９３】
ＨｅＮＢおよびＨＮＢに対しては、様々なサービスへの対応が求められている。例えば、オペレータは、ある決められたＨｅＮＢおよびＨＮＢに移動端末を登録させ、登録した移動端末のみにＨｅＮＢおよびＨＮＢのセルへのアクセスを許可することで、該移動端末が使用できる無線リソースを増大させて、高速に通信を行えるようにする。その分、オペレータは、課金料を通常よりも高く設定する、といったサービスである。
【００９４】
このようなサービスを実現するため、登録した（加入した、メンバーとなった）移動端末のみがアクセスできるＣＳＧ（Closed Subscriber Group cell）セルが導入されている。ＣＳＧ（Closed Subscriber Group cell）セルは、商店街やマンション、学校、会社などへ数多く設置されることが要求される。例えば、商店街では店舗毎、マンションでは部屋毎、学校では教室毎、会社ではセクション毎にＣＳＧセルを設置し、各ＣＳＧセルに登録したユーザのみが該ＣＳＧセルを使用可能とするような使用方法が要求されている。ＨｅＮＢ／ＨＮＢは、マクロセルのカバレッジ外での通信を補完するためだけでなく、上述したような様々なサービスへの対応が求められている。このため、ＨｅＮＢ／ＨＮＢがマクロセルのカバレッジ内に設置される場合も生じる。
【００９５】
ＬＴＥ−Ａで検討される技術の一つとして、ヘテロジーニアスネットワークス（Heterogeneous networks：ＨｅｔＮｅｔｓ）が加えられた。３ＧＰＰでは、ピコｅＮＢ（ピコセル（pico cell））、ホットゾーンセル用のノード、ＨｅＮＢ／ＨＮＢ／ＣＳＧセル、リレーノード、リモートラジオヘッド（ＲＲＨ）のような低出力電力のローカルエリアレンジ（Local-area range）のネットワークノード（ローカルエリアレンジノード（local area range node）、ローカルエリアノード（local area node）、ローカルノード（local node））を扱う。したがって、通常のｅＮＢ（マクロセル）に、このようなローカルエリアレンジノードを一つ以上組み入れたネットワークの運用が要求される。通常のｅＮＢ（マクロセル）に、このようなローカルエリアレンジノードを一つ以上組み入れたネットワークがヘテロジーニアスネットワークスと呼ばれ、干渉低減方法、キャパシティ改善方法などが検討される。
【００９６】
非特許文献８に、ヘテロジーニアスネットワークスの技術が記載されている。従来のセルセレクションのアルゴリズムでは、周辺セルを測定した後、最も受信電力の強いセル（ストロンゲストセル、ベストセル）へセルセレクションを行う。しかし、ＨｅＮＢの場合、ＣＳＧによる制限のために、ベストセルをセル選択できないという問題が生じる。またマクロセルとピコセルとが存在するネットワークでは、必ずしもベストセルが通信に最適なセルになるとは限らないという問題が存在する。
【００９７】
さらに、ＵＥは、バックホールリンクの通信品質が悪いセルに接続しない方がよい場合がある。このことは、中継装置であるリレーノードのバックホールリンクだけでなく、ピコセルやフェムトセル（ＨｅＮＢ）のような有線のバックホールリンクを有するノードにも該当する。特に、フェムトセル（ＨｅＮＢ）は、ホームユースが想定されており、一般的なブロードバンド回線を通してコアネットワーク側に接続されるため、バックホールリンクにおいて使用帯域の制限や信頼性の劣化が生じてしまう。リレーノードのバックホールリンクは、リレーノードと基地局装置との間の通信回線である。ピコセルおよびフェムトセル（ＨｅＮＢ）などの基地局装置のバックホールリンクは、基地局装置とコアネットワークとの間の通信回線である。
【００９８】
非特許文献８では、これらの問題を解消するために、バックホールリンクの品質を考慮したセルセレクションや、弱受信電力のセルの測定とトリガメカニズムとが必要であることが提案されている。しかし、これらの具体的な方法については、何ら記載されていない。
【００９９】
またこれらの問題は、セルセレクションに限らず、セルリセレクションやハンドオーバ（ＨＯ）などのサービングセルの選択あるいは変更の際に生じてしまう。
【０１００】
非特許文献９に、リレーノードのバックホールリンクを考慮したセルセレクション方法が開示されている。リレーノードがバックホールリンクの品質を報知して、ＵＥはそれを考慮してセルセレクションを行うと記載されている。しかし、どのようなメカニズムで該バックホールリンクの品質を考慮に入れるのか、具体的な方法については、何ら開示されていない。
【０１０１】
また非特許文献９に、ドナーｅＮＢが全てのリレーノードのバックホールリンクの品質を報知すること、およびＱoffsetに、リレーノードとドナーｅＮＢとの間のリンク品質を入れ込むことが記載されている。しかし、非特許文献３に示されるように、Ｑoffsetは、セルリセレクションの際に隣接セルの受信電力測定値に加えるオフセット値である。したがって、ここで開示された方法では、セルセレクションの際に、バックホールリンクの通信品質を入れ込めていない。また、Ｑoffsetは、隣接セルの受信電力測定値に対して与えられるオフセット値であるので、サービングセルの受信電力に対して、サービングセルのバックホールリンクの通信品質を入れ込むことができていない。
【０１０２】
図１３は、非特許文献３の技術によるＵＥのセルリセレクションの処理手順を示すフローチャートである。ＵＥは、セルリセレクションのために、サービングセルの受信電力を測定する。該サービングセルの受信電力測定値をＳxとする。
【０１０３】
ステップＳＴ１３０１で、ＵＥは、Ｓxとセルリセレクションのための測定開始用閾値（Ｓ_intrasearch）とを比較する。Ｓ_intrasearchは、予めサービングセルから報知される。ＵＥは、ＳxとＳ_intrasearchとを比較し、ＳxがＳ_intrasearch以下となった場合に、サービングセルの受信電力が低いと判断し、セルリセレクションのための測定を開始する（ステップＳＴ１３０２）。ＵＥは、ＳxがＳ_intrasearchよりも大きい場合は、サービングセルの受信電力は十分であると判断し、セルリセレクションのための測定を開始せず、Ｓxを測定し、ステップＳＴ１３０１に戻って、再度ＳxとＳ_intrasearchとを比較する。
【０１０４】
ステップＳＴ１３０２で、ＵＥは、隣接セルの受信電力の測定を行う。この際、サービングセルの受信電力の測定も行ってもよい。ステップＳＴ１３０３で、ＵＥは、セル毎の測定値から、受信電力にある補正値を入れ込んだ値（Ｓrxlev）を算出する。この補正値および算出方法は、非特許文献３に記載されている。
【０１０５】
Ｓrxlevを算出したＵＥは、ステップＳＴ１３０４で、該Ｓrxlevが０より大きいか否か判断する。該Ｓrxlevが０より大きい場合、該セルをベストセル選択の候補として、後述するステップＳＴ１３０６の処理を行う。該Ｓrxlevが０以下の場合は、該セルはベストセル選択の候補としない。
【０１０６】
ＵＥは、ステップＳＴ１３０２のセルリセレクションのための測定で得られた一つまたは複数のセルに対して、前述のステップＳＴ１３０３およびステップＳＴ１３０４の処理を行う。その結果、Ｓrxlevが０より大きくなるセルが全く得られなかった場合は、ステップＳＴ１３０５に移行し、圏外となる。Ｓrxlevが０より大きくなるセルが得られた場合は、ステップＳＴ１３０６に移行する。
【０１０７】
Ｓrxlevが０より大きくなったセルについて、ステップＳＴ１３０６で、ＵＥは以下の式を用いてＲs，Ｒnを算出する（非特許文献３参照）。
【０１０８】
Ｒs＝Ｑmeas,s＋Ｑhyst
Ｒn＝Ｑmeas,n−Ｑoffset
Ｑmeas,sは、セルリセレクション用のサービングセルの受信電力測定値で、Ｑmeas,nは、セルリセレクション用の隣接セル（サービングセルでないセル）の受信電力測定値である。Ｑhystは、ヒステリシスを与えるオフセット値である。Ｑoffsetは、同一周波数キャリア内でのセルリセレクションにおいては、セル間補正用オフセット値、異周波数キャリアあるいは他システムへのリセレクションにおいては、セル間補正用と周波数間補正用のオフセット値である。
【０１０９】
ＵＥは、算出したＲs、Ｒnを用いて、最も高い受信電力となるセル（ベストセル）を選択する。そして、ＵＥがステップＳＴ１３０６で選択したベストセルにセルリセレクションを行う。
【０１１０】
セルリセレクションは、以上のように行われるので、非特許文献９に開示された方法では、サービングセルの受信電力に対して、サービングセルのバックホールリンクの通信品質を入れ込めないという問題が生じる。
【０１１１】
さらに、非特許文献３に開示されたセルリセレクションでは、隣接セルの受信電力測定の前に、サービングセルの受信電力を測定し、その値に応じてセルリセレクションのための測定を行うか否かを判断するが、非特許文献９にはこのことについては全く記載されていない。非特許文献９に開示された方法では、ステップＳＴ１３０１に示すセルリセレクションのための隣接セルの測定を行うか否かの判断に、サービングセルのバックホールリンクの通信品質を全く考慮できていないことになる。
【０１１２】
例えば、サービングセルがリレーの場合、アクセスリンクの受信品質は良いが、バックホールリンクの通信品質が悪い場合がある。ステップＳＴ１３０１のセルリセレクションのための隣接セルの測定を行うか否かの判断に、サービングセルのバックホールリンクの通信品質を考慮に入れていない場合は、バックホールリンクの通信品質が悪いにもかかわらず、セルリセレクションを行わなくなる。これにより、通信速度の低下や、最悪の場合、通信断が生じることになる。
【０１１３】
このことは、リレーだけでなく、他のローカルノードにおいても生じる。例えば、ＨｅＮＢにおいて、バックホールリンクはＨｅＮＢとコアネットワークとを接続するブロードバンド回線である。このブロードバンド回線が混雑して通信品質が劣化した場合などには、同じ問題が生じる。
【０１１４】
これらの問題を解消するために、本実施の形態では、セルリセレクションにサービングセルおよび隣接セルの少なくともいずれか一方のバックホールリンクの通信品質を考慮に入れる方法を開示する。
【０１１５】
本実施の形態では、セルリセレクションに、サービングセルのバックホールリンクの通信品質を考慮に入れる方法として、セルリセレクションのための測定開始用クライテリア、すなわち基準値に、バックホールリンクの通信品質を考慮に入れる。
【０１１６】
セルリセレクションのための測定開始用クライテリアにバックホールリンクの通信品質を考慮に入れる一例として、セルリセレクションのための測定開始用閾値にサービングセルのバックホールリンクの通信品質を入れ込む。
【０１１７】
図１４は、セルリセレクションのための測定開始用閾値に、サービングセルのバックホールリンクの通信品質を入れ込んだセルリセレクションの処理手順を示すフローチャートである。図１４に示すフローチャートの処理は、図１３に示すフローチャートの処理と類似しているので、異なる処理についてのみ説明し、対応する部分については同一のステップ番号を付して、処理の説明を省略する。
【０１１８】
ＵＥは、セルリセレクションのために、サービングセルの受信電力を測定する。ここで、サービングセルのバックホールリンクの通信品質を考慮したセルリセレクションのための測定開始用閾値（Ｓ_intrasearch_total）を新たに設けておく。
【０１１９】
ステップＳＴ１４０１で、ＵＥは、該サービングセルの受信電力測定値（Ｓx）とサービングセルのバックホールリンクの通信品質を考慮したセルリセレクションのための測定開始用閾値（Ｓ_intrasearch_total）とを比較する。サービングセルの受信品質およびバックホールリンクの通信品質は、選択情報に相当する。
【０１２０】
ＵＥは、ＳxとＳ_intrasearch_totalとを比較し、ＳxがＳ_intrasearch_total以下となった場合に、バックホールリンクの通信品質を含めたサービングセルの受信品質が悪いと判断し、セルリセレクションのための測定を開始する（ステップＳＴ１３０２）。ＵＥは、ＳxがＳ_intrasearch_totalよりも大きい場合は、バックホールリンクの通信品質を含めたサービングセルの受信品質が十分であると判断し、セルリセレクションのための測定を開始せず、Ｓxを測定し、ステップＳＴ１４０１に戻って、再度ＳxとＳ_intrasearch_totalとを比較する。
【０１２１】
このように、セルリセレクションのための測定開始用閾値に、サービングセルのバックホールリンクの通信品質を入れ込むことで、セルリセレクションのための測定開始用クライテリアにバックホールリンクの通信品質を考慮に入れる。
【０１２２】
サービングセルは、バックホールリンクの通信品質を測定し、該測定結果を考慮して新たなセルリセレクションのための測定開始用閾値（Ｓ_intrasearch_total）を決定する。サービングセルは、予め該Ｓ_intrasearch_totalを報知しておく。ＵＥは、予めサービングセルから報知された該Ｓ_intrasearch_totalを受信しておき、ステップＳＴ１４０１で、セルリセレクションのための測定開始用閾値として用いる。
【０１２３】
図１４では、図１３のＳ_intrasearchとは別に、新たにＳ_intrasearch_totalを設けることとした。これにより、バックホールリンクを考慮する場合と考慮しない場合とで、異なる閾値を用いることが可能となる。
【０１２４】
一方、新たにＳ_intrasearch_totalを設けずに、サービングセルが導出したバックホールリンクの通信品質を考慮したセルリセレクションのための測定開始用閾値をＳ_intrasearchに設定するようにしてもよい。常にバックホールリンクを考慮するセルのような場合は、常にＳ_intrasearchにバックホールリンクの通信品質を入れ込むことができ、報知するパラメータの数を減らすことが可能となる。
【０１２５】
バックホールリンクの通信品質としては、受信電力（ＲＳＲＰ、ＲＳＲＱ：Reference Signal Received Quality）、通信速度、通信容量、回線品質などとすればよい。リレーでは、バックホールリンクの通信品質として受信電力（ＲＳＲＰ、ＲＳＲＱ）などとして、従来の閾値（Ｓ_intrasearch）と単位を揃え、ある関数により直接Ｓ_intrasearch_totalを計算できるようにするとよい。これによって、サービングセルにおけるＳ_intrasearch_totalの導出を容易にすることが可能となる。また、ある関数により計算して導出するのではなく、バックホールリンクの通信品質とそれに対応する閾値Ｓ_intrasearch_totalとの対応表を用いて導出するようにしてもよい。
【０１２６】
バックホールリンクが有線の場合は、バックホールリンクの通信品質を、通信速度、通信容量、回線品質などとするとよい。この場合、従来の閾値（Ｓ_intrasearch）と単位が異なることになるが、その場合、バックホールリンクの通信品質を変数とするある関数を設けて、該関数によってＳ_intrasearch_totalを導出するようにしてもよい。あるいは、バックホールリンクの通信品質とそれに対応する閾値Ｓ_intrasearch_totalとの対応表を用いて導出するようにしてもよい。これらの関数あるいは対応表は、予め静的に決めておくとよい。
【０１２７】
サービングセルは、新たなセルリセレクションのための測定開始用閾値（Ｓ_intrasearch_total）をＳＩＢ３に含めて報知してもよいし、あるいはＳＩＢ１に含めて報知してもよい。ＳＩＢ３の場合、セルリセレクション用パラメータが含まれるので、ＵＥは、他のセルリセレクション用パラメータと一緒に受信することが可能となる。このため、ＵＥの受信動作を簡略化でき、また、制御誤動作の削減が可能となる。ＳＩＢ１の場合、予め報知されるタイミングが決められているので、ＵＥは、メジャメント時に早期に受信可能となる。このため、ＵＥのメジャメント動作において制御遅延を小さくすることが可能となる。
【０１２８】
上記に開示した方法では、新たなセルリセレクションのための測定開始用閾値（Ｓ_intrasearch_total）をサービングセルが導出することとした。これに限らず、ＵＥが新たなセルリセレクションのための測定開始用閾値（Ｓ_intrasearch_total）を導出するようにしてもよい。この場合、サービングセルは、該サービングセルのバックホールリンクの通信品質をＵＥに報知するようにすればよい。ＵＥは、報知された該サービングセルのバックホールリンクの通信品質を用いて、該閾値Ｓ_intrasearch_totalを導出する。
【０１２９】
バックホールリンクの通信品質は変動する。したがって、該バックホールリンクの通信品質を変更して報知する場合は、報知情報の修正により行えばよい。サービングセルは、該バックホールリンクの通信品質を、ある期間平均する、あるいはフィルタリングするなどして、該平均値あるいはフィルタリング後の値を報知するようにしてもよい。該ある期間を報知情報が修正されるタイミングに合わせるようにしてもよい。
【０１３０】
サービングセルは、該サービングセルのバックホールリンクの通信品質をＳＩＢ３に含めて報知してもよいし、あるいはＳＩＢ１に含めて報知してもよい。それぞれの場合において、Ｓ_intrasearch_totalを報知する場合と同等の効果が得られる。
【０１３１】
ＵＥが、サービングセルから報知された該サービングセルのバックホールリンクの通信品質を用いて、該閾値Ｓ_intrasearch_totalを導出する方法としては、前述のサービングセルが導出する方法と同様の方法を適用できる。
【０１３２】
ここでは、同じ周波数キャリア内でのセルリセレクションについて記載したが、他周波数キャリア内のセルへのセルリセレクションや、Ｗ−ＣＤＭＡなど他システムへのセルリセレクションにおいても同様の方法とすることができる。セルリセレクションのための測定開始用閾値（Ｓ_intrasearch）の代わりに、他周波数キャリア用あるいは他システム用のセルリセレクションのための測定開始用閾値（Ｓ_nonintrasearch）にバックホールリンクの通信品質を考慮すればよい。バックホールリンクの通信品質を考慮した新たな他周波数キャリア用あるいは他システム用のセルリセレクションのための測定開始用閾値（Ｓ_nonintrasearch_total）を、別途設けて同様の方法としてもよい。
【０１３３】
本実施の形態に開示した方法とすることで、各セルの受信品質に加えて、バックホールリンクの通信品質を考慮に入れて、セルリセレクションを行うことができる。これによって、たとえサービングセルの受信品質が良好であったとしても、サービングセルのバックホールリンクの通信品質によっては、セルリセレクションを開始することになるため、サービングセルのバックホールリンクの通信品質の劣化による通信速度の低下や通信断の発生を抑制することが可能となる。したがって、ヘテロジーニアスネットワークスにおける干渉問題およびキャパシティ問題を改善することが可能となるので、膨大な数のローカルエリアレンジノードの運用およびそれらの柔軟な配置が可能となる。
【０１３４】
実施の形態１  変形例１．
セルリセレクションのための測定開始用クライテリアに、バックホールリンクの通信品質を考慮に入れる別の例として、サービングセルの測定値にサービングセルのバックホールリンクの通信品質を入れ込む場合について説明する。
【０１３５】
図１５は、サービングセルの測定値にサービングセルのバックホールリンクの通信品質を入れ込んだセルリセレクションの処理手順を示すフローチャートである。図１５に示すフローチャートの処理は、図１３に示すフローチャートの処理と類似しているので、異なる処理についてのみ説明し、対応する部分については同一のステップ番号を付して、処理の説明を省略する。
【０１３６】
ＵＥは、セルリセレクションのために、サービングセルの受信電力を測定する。ＵＥは、該サービングセルの受信電力測定値（Ｓx）にサービングセルのバックホールリンクの通信品質を入れ込んだ値（Ｓx_total）を導出する。
【０１３７】
サービングセルは、バックホールリンクの通信品質を測定し、ＵＥに報知しておく。ＵＥは、予めサービングセルから報知された該通信品質を受信しておき、上述したＳx_totalの導出の際に用いる。
【０１３８】
ステップＳＴ１５０１で、ＵＥは、Ｓx_totalとセルリセレクションのための測定開始用閾値（Ｓ_intrasearch）とを比較する。ＵＥは、Ｓx_totalとＳ_intrasearchとを比較し、Ｓx_totalがＳ_intrasearch以下となった場合に、バックホールリンクの通信品質を含めたサービングセルの受信品質が悪いと判断し、セルリセレクションのための測定を開始する（ステップＳＴ１３０２）。ＵＥは、Ｓx_totalがＳ_intrasearchよりも大きい場合は、バックホールリンクの通信品質を含めたサービングセルの受信品質が十分であると判断し、セルリセレクションのための測定を開始せず、ステップＳＴ１５０１に戻って、再度Ｓxを測定し、Ｓx_totalを導出してＳ_intrasearchと比較する。
【０１３９】
このように、ＵＥが測定するサービングセルの受信電力測定値（Ｓx）にサービングセルのバックホールリンクの通信品質を入れ込んだ値（Ｓx_total）を導出して、Ｓx_totalをセルリセレクションのための測定を開始するか否かの判断に用いることで、サービングセルのバックホールリンクの通信品質を考慮に入れる。
【０１４０】
バックホールリンクの通信品質としては、受信電力（ＲＳＲＰ、ＲＳＲＱ）、通信速度、通信容量、回線品質などとすればよい。リレーでは、バックホールリンクの通信品質として受信電力（ＲＳＲＰ、ＲＳＲＱ）などとして、アクセスリンクの測定値（Ｓx）と単位を揃え、ある関数により直接Ｓx_totalを計算できるようにするとよい。これによって、ＵＥにおけるＳx_totalの導出を容易にすることが可能となる。また、ある関数により計算して導出するのではなく、対応表を用いて導出するようにしてもよい。
【０１４１】
バックホールリンクが有線の場合は、バックホールリンクの通信品質としては、通信速度、通信容量、回線品質などとするとよい。この場合、従来のサービングセルの受信電力測定値（Ｓx）と単位が異なることになるが、その場合、バックホールリンクの通信品質を変数とするある関数を設けて、該関数によってＳx_totalを導出するようにしてもよい。あるいは、バックホールリンクの通信品質とそれに対応する測定値Ｓx_totalとの対応表を用いて導出するようにしてもよい。これらの関数あるいは対応表は、予め静的に決めておくとよい。
【０１４２】
サービングセルは、バックホールリンクの通信品質を報知するが、該バックホールリンクの通信品質は変動する。したがって、該バックホールリンクの通信品質を変更して報知する場合は、報知情報の修正により行えばよい。サービングセルは、該バックホールリンクの通信品質を、ある期間平均する、あるいはフィルタリングするなどして、該平均値あるいはフィルタリング後の値を報知するようにしてもよい。該ある期間を報知情報が修正されるタイミングに合わせるようにしてもよい。
【０１４３】
ＵＥがバックホールリンクの通信品質を、ある期間平均する、あるいはフィルタリングしてもよい。サービングセルは、バックホールリンクの通信品質測定値を平均などせずにＵＥに報知して、ＵＥが報知されたバックホールリンクの通信品質測定値を平均あるいはフィルタリングするようにしてもよい。
【０１４４】
サービングセルは、バックホールリンクの通信品質をＳＩＢ３に含めて報知してもよいし、あるいはＳＩＢ１に含めて報知してもよい。ＳＩＢ３の場合、セルリセレクション用パラメータが含まれるので、ＵＥは、他のセルリセレクション用パラメータと一緒に受信することが可能となる。このため、ＵＥの受信動作を簡略化でき、また、制御誤動作の削減が可能となる。ＳＩＢ１の場合、予め報知されるタイミングが決められているので、ＵＥはメジャメント時に早期に受信可能となる。このため、ＵＥのメジャメント動作において制御遅延を小さくすることが可能となる。
【０１４５】
本変形例の方法とすることで、実施の形態１で記載した効果に加えて、以下の効果を得ることが可能となる。サービングセルの受信電力測定値にサービングセルのバックホールリンクの通信品質を入れ込むことで、ＵＥがネットワークからサービングセルを介して、ＵＥまでのトータルの受信品質を導出することができるようになる。このため、バックホールリンクの通信品質の効果を適切に考慮することが可能となり、たとえバックホールリンクの通信品質が支配的となるような場合にも、精度良くセルリセレクションのための測定を開始させることが可能となる。
【０１４６】
実施の形態１  変形例２．
セルリセレクションのための測定開始用クライテリアに、バックホールリンクの通信品質を考慮に入れる別の例として、セルリセレクションのための測定開始用閾値として、サービングセルのバックホールリンクの通信品質閾値（以降、「バックホール閾値（開始）」と表す）を設ける。
【０１４７】
図１６は、セルリセレクションのための測定開始用閾値として、バックホール閾値（開始）を設けたセルリセレクションの処理手順を示すフローチャートである。図１６に示すフローチャートの処理は、図１３に示すフローチャートの処理と類似しているので、異なる処理についてのみ説明し、対応する部分については同一のステップ番号を付して、処理の説明を省略する。
【０１４８】
ＵＥは、セルリセレクションのために、サービングセルの受信電力を測定する。ステップＳＴ１３０１で、ＵＥは、該サービングセルの受信電力測定値（Ｓx）とセルリセレクションのための測定開始用閾値（Ｓ_intrasearch）とを比較する。Ｓ_intrasearchは、予めサービングセルから報知される。
【０１４９】
ＵＥは、ＳxとＳ_intrasearchとを比較し、ＳxがＳ_intrasearch以下となった場合に、サービングセルの受信電力が低いと判断し、セルリセレクションのための測定を開始する（ステップＳＴ１３０２）。ＵＥは、ＳxがＳ_intrasearchよりも大きい場合は、ステップＳＴ１６０１で、サービングセルのバックホールリンクの通信品質と、サービングセルのバックホールリンクの通信品質閾値（バックホール閾値（開始））とを比較する。サービングセルのバックホールリンクの通信品質と、サービングセルのバックホールリンクの通信品質閾値とは、各々予めサービングセルから報知される。
【０１５０】
ステップＳＴ１６０１で、ＵＥは、サービングセルのバックホールリンクの通信品質が、バックホール閾値（開始）以下となった場合は、バックホールリンクの通信品質が低いと判断して、セルリセレクションのための測定を開始する（ステップＳＴ１３０２）。ＵＥは、サービングセルのバックホールリンクの通信品質が、バックホール閾値（開始）より大きい場合は、バックホールリンクの通信品質が十分であると判断して、セルリセレクションのための測定を開始せず、ステップＳＴ１３０１に戻り、Ｓxを測定し、ＳxとＳ_intrasearchとを比較する。
【０１５１】
ステップＳＴ１６０１におけるサービングセルのバックホールリンクの通信品質とバックホール閾値（開始）との比較は、ステップＳＴ１３０１における通常のサービングセルの受信電力測定値（Ｓx）と受信電力の閾値（Ｓ_intrasearch）との比較と、オア（or）条件で行われるようにするとよい。これによって、いずれかの条件が通信に不十分となった場合に、セルリセレクションのための測定を開始するようにできる。
【０１５２】
このように、サービングセルのバックホールリンクの通信品質閾値を設けて、セルリセレクションのための測定を開始するか否かの判断に用い、また、該判断をセルリセレクションのための測定開始条件に入れ込むことで、サービングセルのバックホールリンクの通信品質を考慮に入れる。
【０１５３】
バックホールリンクの通信品質は変動するが、その対処方法は実施の形態１の変形例１で開示したのと同様の方法とすればよい。
【０１５４】
バックホールリンクの通信品質およびバックホールリンクの通信品質閾値として、受信電力（ＲＳＲＰ、ＲＳＲＱ）、通信速度、通信容量、回線品質などとすればよい。バックホールリンクの通信品質とバックホールリンクの通信品質閾値とを別の指標としてもよいが、同じとしてもよい。同じ場合は、単位が同じになるので直接比較が可能となるため、ＵＥでの制御が簡易になる。
【０１５５】
サービングセルは、バックホールリンクの通信品質とバックホールリンクの通信品質閾値とを、一緒にあるいは別々に、ＳＩＢ３に含めて報知してもよいし、あるいはＳＩＢ１に含めて報知してもよい。ＳＩＢ３の場合、セルリセレクション用パラメータが含まれるので、ＵＥは、他のセルリセレクション用パラメータと一緒に受信することが可能となる。このため、ＵＥの受信動作を簡略化でき、また、制御誤動作の削減が可能となる。ＳＩＢ１の場合、予め報知されるタイミングが決められているので、ＵＥはメジャメント時に早期に受信可能となる。このため、ＵＥのメジャメント動作において制御遅延を小さくすることが可能となる。
【０１５６】
サービングセルのバックホールリンクの通信品質閾値は、報知されるのではなく、静的な値として予め決められていてもよい。この場合、ＵＥは、予め決められた値を用いることができる。これにより、報知情報を削減できシグナリング負荷を低減できる。
【０１５７】
また、バックホールリンクの通信品質閾値に、初期値として予め決められた値を用い、バックホールリンクの通信品質閾値が報知された場合に、初期値に代えて、報知された該バックホールリンクの通信品質閾値を用いるようにしてもよい。この場合、該バックホールリンクの通信品質閾値を、サービングセルが必要に応じて報知すればよい。
【０１５８】
本変形例の方法とすることで、実施の形態１で記載した効果に加えて、以下の効果を得ることが可能となる。サービングセルの受信品質とバックホールリンクの通信品質とを各々個別に設定できるため、柔軟性が高く緻密な設定が可能となる。したがって、バックホールリンクの通信品質を考慮する必要のあるセルが増大した場合にも、通信速度の低下や通信断の発生を抑制したセルリセレクションが可能となる。
【０１５９】
実施の形態２．
前述の非特許文献９には、Ｑoffsetに、リレーノードとドナーｅＮＢとの間のリンク品質を入れ込むことが開示されている。しかし、非特許文献９に開示された方法では、セルリセレクションにおけるセルランキングの際に、サービングセルのバックホールリンクの通信品質を入れ込むことができていない。セルランキングにおいて、サービングセルのバックホールリンクの通信品質を考慮に入れないと、サービングセルの受信電力が良い場合、該サービングセルをベストセルとして選択する可能性が大きくなる。該サービングセルのバックホールリンクの通信品質が悪い場合は、ベストセル選択後も通信速度の低下や、さらには通信断が生じることになる。
【０１６０】
本実施の形態では、セルリセレクションに、サービングセルおよび隣接セルの少なくともいずれか一方のバックホールリンクの通信品質を考慮に入れる方法として、セルランキング時にサービングセルおよび隣接セルの少なくともいずれか一方のバックホールリンクの通信品質を入れこむ。
【０１６１】
ここでは、セルランキング時にサービングセルおよび隣接セルの少なくともいずれか一方のバックホールリンクの通信品質を入れこむ一例として、セルランキング時のセルの測定値に各セルのバックホールリンクの通信品質を入れ込む。
【０１６２】
図１７は、セルランキング時のセルの測定値に各セルのバックホールリンクの通信品質を入れこんだセルリセレクションの処理手順を示すフローチャートである。図１７に示すフローチャートの処理は、図１３および図１６に示すフローチャートの処理と類似しているので、異なる処理についてのみ説明し、対応する部分については同一のステップ番号を付して、処理の説明を省略する。セルリセレクションのための測定を開始するまでの動作は、実施の形態１の変形例２で開示した方法を用いているが、これに限らない。実施の形態１または実施の形態１の変形例１で開示した方法であってもよい。
【０１６３】
本実施の形態では、ステップＳＴ１３０４で、Ｓrxlevが０より大きくなったセルについて、ＵＥは、ステップＳＴ１７０１の処理を行う。ステップＳＴ１７０１で、ＵＥは、サービングセルの受信電力測定値にサービングセルのバックホールリンクの通信品質を入れ込んだ受信品質を導出する。該サービングセルのバックホールリンクの通信品質を入れ込んだ受信品質をＲs_totalとする。
【０１６４】
さらにステップＳＴ１７０１で、ＵＥは、隣接セルの受信電力測定値に隣接セルのバックホールリンクの通信品質を入れ込んだ受信品質を導出する。該隣接セルのバックホールリンクの通信品質を入れ込んだ受信品質をＲn_totalとする。
【０１６５】
ＵＥは、導出したＲs_totalとＲn_totalとを用いて、バックホールリンクの通信品質を入れ込んだ受信品質が最良のセル（ベストセル）を選択する。そして、ＵＥがステップＳＴ１７０１で選択したベストセルにセルリセレクションを行う。
【０１６６】
サービングセルは、自セルのバックホールリンクの通信品質をＵＥに報知し、ＵＥは、サービングセルから報知される該情報を受信して、ステップＳＴ１７０１のＲs_totalの導出に用いる。サービングセルが該情報を報知する方法は、実施の形態１の変形例１で開示した方法を用いればよい。
【０１６７】
サービングセルは、隣接セルのバックホールリンクの通信品質をＵＥに報知し、ＵＥは、サービングセルから報知される該情報を受信して、ステップＳＴ１７０１のＲn_totalの導出に用いる。
【０１６８】
サービングセルが該情報を報知するため、サービングセルは、隣接セルのバックホールリンクの通信品質を認識する必要がある。この方法として、セルは各々、自セルのバックホールリンクの通信品質を測定し、その結果を、該セルのアイデンティティ（ＰＣＩ、ＧＣＩ）とともに、あるいは関連付けて、隣接セルに通知する。該通知のためのインタフェースには、Ｘ２インタフェースあるいはＳ１インタフェースなどを用いればよい。
【０１６９】
リレーの場合は、ドナーｅＮＢ（ＤｅＮＢ）に上りバックホールリンク（リレーからＤｅＮＢへのリンク）を用いて通知してもよい。該ＤｅＮＢが、傘下のリレーに通知してもよい。こうすることで、リレーが隣接のリレーのバックホールリンクの通信品質を認識することができる。通知方法としては、ＤｅＮＢから傘下のリレーへ個別に通知してもよいし、ＤｅＮＢから報知してもよい。また、リレーの場合は、ＤｅＮＢが上りバックホールリンクの通信品質を測定して、その結果を該リレーのバックホールリンクの通信品質として用いてもよい。これによって、リレーからＤｅＮＢへ通知する必要がなくなる。このようにすることで、サービングセルが隣接セルのバックホールリンクの通信品質を認識することが可能となる。
【０１７０】
ＨｅＮＢＧＷに接続されるＨｅＮＢの場合、ＨｅＮＢＧＷが傘下のＨｅＮＢのバックホールリンクの通信品質を測定し、ＨｅＮＢＧＷが該測定値を傘下のＨｅＮＢへ通知するようにしてもよい。
【０１７１】
サービングセルが、隣接セルのバックホールリンクの通信品質を報知する方法は、実施の形態１の変形例１で開示したサービングセルのバックホールリンクの通信品質の報知方法と同様とすればよい。
【０１７２】
バックホールリンクの通信品質の平均値あるいはフィルタリング後の値の導出は、サービングセルが行ってもよいし、ＵＥが行ってもよいし、セル毎に行ってもよい。セル各々が自セルにおいて行うようにしておくのがよい。これによって、平均化後あるいはフィルタリング後の情報を、ある期間毎に通知すればよくなる。該ある期間を報知情報が修正されるタイミングに合わせるようにしてもよい。こうすることで、各セルがサービングセルに通知する情報量や、サービングセルがＵＥに通知する情報量を削減することが可能となる。
【０１７３】
サービングセルは、隣接セルのバックホールリンクの通信品質をＳＩＢ４に含めて報知するようにしてもよい。ＳＩＢ４には隣接セルの情報が含まれるので、ＵＥは、他の隣接セルの情報、例えばＰＣＩと関連付けて受信することが可能となる。このため、ＵＥの受信動作を簡略化でき、また、制御誤動作の削減が可能となる。
【０１７４】
バックホールリンクの通信品質に用いる指標とそれを用いた導出方法、セルの受信電力測定値の単位が異なる場合の導出方法は、実施の形態１の変形例１で開示したのと同様の方法を用いればよい。
【０１７５】
本実施の形態で開示した方法とすることで、隣接セルのバックホールリンクの通信品質とともに、サービングセルのバックホールリンクの通信品質を考慮に入れたセルリセレクションが可能となる。たとえサービングセルの受信品質が良好であったとしても、該サービングセルのバックホールリンクの通信品質が悪い場合は、他のセルへのセルリセレクションを行わせることが可能となる。このため、サービングセルのバックホールリンクの通信品質の劣化による通信速度の低下や通信断の発生を抑制することが可能となる。
【０１７６】
また、バックホールリンクの通信品質の悪いセルへは、セルリセレクションすることが無くなるため、リセレクション後に通信速度の低下や通信断の発生を抑制することが可能となる。
【０１７７】
また、リセレクション後の無線リンク失敗や、さらに通信断などによる再度のセルセレクション、セルリセレクション動作を行なわなくて済むため、ＵＥの消費電力の削減や、システムとしての動作が不安定になることを無くすことが可能となる。
【０１７８】
また、サービングセルのバックホールリンクの通信品質と、隣接セル毎のバックホールリンクの通信品質とを個別に考慮に入れて、トータルのセルの通信品質を導出することで、セル毎に異なって変動するバックホールリンクの通信品質を、個別に入れ込むことが可能となる。バックホールリンクの通信品質に変動の無いセルは、変更した該通信品質を報知する必要が無くなるため、報知あるいはＸ２インタフェース、Ｓ１インタフェースを用いた通知回数を削減することができる。したがって、シグナリング負荷の削減、ＵＥの消費電力の削減が可能となる。
【０１７９】
バックホールリンクの通信品質を、サービングセルの受信電力の単位で表せるオフセット値としてもよい。例えば、サービングセルのバックホールリンクの通信品質を考慮に入れたオフセット値をＱoffset,sとし、隣接セルのバックホールリンクの通信品質を考慮に入れたオフセット値をＱoffset,nとしてもよい。サービングセルは、該オフセット値をＵＥに報知する。ステップＳＴ１７０１で、ＵＥは、以下の式を用いてＲs_total、Ｒn_totalを算出する。
【０１８０】
Ｒs_total＝Ｑmeas,s−Ｑoffset,s＋Ｑhyst
Ｒn_total＝Ｑmeas,n−Ｑoffset,n
ＵＥは、算出したＲs_total、Ｒn_totalを用いて、最も高い受信電力となるセル（ベストセル）を選択する。そして、ＵＥが選択したベストセルにセルリセレクションを行う。
【０１８１】
こうすることで、従来のセルリセレクションとほぼ同じ方法で、バックホールリンクの通信品質を考慮に入れることが可能となる。
【０１８２】
本実施の形態では、サービングセルは、隣接セルのバックホールリンクの通信品質を認識するため、セルは各々、自セルのバックホールリンクの通信品質を測定し、その結果を、Ｘ２インタフェースあるいはＳ１インタフェースなどを用いて隣接セルに通知する。別の方法として、各セルは、複数の周波数キャリア上で、自セルのバックホールリンクの通信品質を報知するようにしてもよい。各セルは、該複数の周波数キャリアの中で、自セルが用いる周波数キャリアと異なる周波数キャリア上の隣接セルの報知情報を受信する。該報知情報を報知する専用の周波数キャリアを予め静的に決めておいてもよい。各セルは、定期的あるいは随時、該報知情報が送信される周波数キャリアについて、隣接セルのメジャメントを行い、受信電力がある閾値より大きいセルの報知情報を受信するようにしておく。こうすることで、各セルは、隣接セルの報知情報を認識することが可能となる。
【０１８３】
ＬＴＥ−Ａシステムでは、ＬＴＥシステムの周波数帯域幅（transmission bandwidths）よりも大きい周波数帯域幅をサポートすることが考えられている。そのため、ＬＴＥ−Ａ対応の移動端末は、同時に１つあるいは複数のコンポーネントキャリア（Component Carrier：ＣＣ）を受信することが考えられている。このコンポーネントキャリアを用いて上述の方法を行うようにしてもよい。各セルは、複数のコンポーネントキャリア上で自セルのバックホールリンクの通信品質を報知し、各セルは、該複数のコンポーネントキャリアの中で、自セルが用いるコンポーネントキャリア上の隣接セルの報知情報を受信するようにすればよい。該報知情報が送信されるコンポーネントキャリアも、ＵＥとの通信に使用することが可能である。
【０１８４】
３ＧＰＰでは、現在ＨｅＮＢにはＸ２インタフェースが設けられていない。したがって、この方法をＨｅＮＢが存在するヘテロジーニアスネットワークで用いることで、Ｘ２インタフェースが無くても、エアインタフェースにより隣接セルの情報を得ることが可能となる。例えば、ＨｅＮＢがマクロセル圏内に存在しているような場合に、マクロセルから該ＨｅＮＢに対して、あるいは、該ＨｅＮＢからマクロセルに対して、上述の方法を用いて自セルのバックホールリンクの通信品質を通知するようにしてもよい。これにより、Ｓ１インタフェースを介して通知するよりも早期に通知することが可能となる。時間的に変動するバックホールリンクの通信品質を、Ｓ１インタフェースより小さい遅延時間で隣接セルに通知可能となる。
【０１８５】
実施の形態２  変形例１．
実施の形態２では、隣接セルのバックホールリンクの通信品質をサービングセルがＵＥに報知する。しかし、サービングセルが全ての隣接セルについて該通信品質をＵＥに報知すると、報知情報が膨大になってしまう。さらに、シグナリング負荷も増大し、ＵＥの消費電力も増大してしまう。また、ＨｅＮＢは、ホームユースにおいて一般利用者が該ＨｅＮＢを設置することが想定されており、大量のＨｅＮＢがそれぞれ任意の場所に設置されることになる。したがって、これらのＨｅＮＢを含むネットワークで隣接セル情報を構成するのは、非常に複雑になってしまう。よって、サービングセルが隣接セルのバックホールリンクの通信品質をＵＥに報知するのは、システムとして複雑になる。このことは、サービングセルが、隣接セルのバックホールリンクの通信品質を考慮に入れたオフセット値を報知する場合や、非特許文献９に開示されるＱoffsetを報知する場合にも生じる問題である。
【０１８６】
これらの問題を解消するため、本変形例では、サービングセルが隣接セルのバックホールリンクの通信品質を報知するのではなく、セルが各々自セルのバックホールリンクの通信品質を報知して、ＵＥがセルリセレクションにおいて該通信品質をセルランキングに用いることとする。
【０１８７】
セルリセレクションのためのセルの測定を開始するＵＥは、図１７に示すステップＳＴ１３０２において、セルの測定を開始する。この際にＵＥは、各セルの受信電力を測定するだけでなく、各セルが報知する自セルのバックホールリンクの通信品質を受信する。
【０１８８】
ＵＥは、このステップＳＴ１３０２で受信した各セルのバックホールリンクの通信品質を用いて、ステップＳＴ１７０１で、該各セルのＲs_total、Ｒn_totalを導出する。バックホールリンクの通信品質の指標と導出方法、セルの受信電力測定値の単位が異なる場合の導出方法は、実施の形態２と同様の方法で行うとよい。
【０１８９】
各セルは、自セルのバックホールリンクの通信品質を報知するが、該バックホールリンクの通信品質は変動する。したがって、該バックホールリンクの通信品質を変更して報知する場合は、報知情報の修正により行えばよい。バックホールリンクの通信品質の平均値あるいはフィルタリング後の値の導出は、ＵＥが行ってもよいし、セル毎に行ってもよいが、セル各々が自セルにおいて行うようにしておくのがよい。こうすることで、平均化後あるいはフィルタリング後の情報をある期間毎に通知すればよくなる。したがって、各セルがサービングセルに通知する情報量や、サービングセルがＵＥに通知する情報量を削減することが可能となる。該ある期間を報知情報が修正されるタイミングに合わせるようにしてもよい。
【０１９０】
各セルは、自セルのバックホールリンクの通信品質を報知するが、この際ＳＩＢ１に含めて報知してもよい。ＳＩＢ１の場合、予め報知されるタイミングが決められているので、ＵＥはメジャメント時に早期に受信可能となる。このため、ＵＥのメジャメント動作において制御遅延を小さくすることが可能となる。この場合、前述の図１２に示したセルサーチの手順において、ステップＳＴ１２０３のベストセル選択を、ステップＳＴ１２０５でＳＩＢ１を受信した後で行うようにすればよい。
【０１９１】
本変形例の方法とすることで、実施の形態２で記載した効果に加えて、以下の効果を得ることができる。サービングセルが報知する情報から、隣接セルの情報を削減することができる。また、各セルは、自セルのバックホールリンクの通信品質や該セルのアイデンティティ（ＰＣＩ、ＧＣＩ）を隣接セルに通知しなくてもよくなる。したがって、エアインタフェースやＸ２インタフェース、Ｓ１インタフェースにおけるシグナリング負荷を削減することが可能となる。また、このため、大量に、そして任意の場所に設置されるＨｅＮＢを含むネットワークにおいても、簡易な構成のシステムを構築することが可能となる。
【０１９２】
また、セルは、各々自セルのバックホールリンクの通信品質を考慮に入れたオフセット値あるいは非特許文献９に開示されるＱoffsetを報知するようにしてもよい。このようにしても、本変形例と同等の効果が得られる。
【０１９３】
実施の形態２  変形例２．
本変形例では、セルリセレクション対象となることを許可するかどうかを示すインジケータを設ける。サービングセルが、自セルがセルリセレクション対象となることを許可するかどうかを示すインジケータと、隣接セルがセルリセレクション対象となることを許可するかどうかを示すインジケータとを報知する。隣接セルの該インジケータは、セル毎に設けて報知してもよい。
【０１９４】
セルリセレクションの際のＵＥの動作は、例えば前述の図１７に示すフローチャートの一部を変更することで可能となる。ＵＥは、予めサービングセルから報知された該インジケータを受信しておき、セルリセレクションの際に、図１７のステップＳＴ１３０３において、該インジケータによりセルリセレクション対象となることが許可されたセルに対してのみ、Ｓrxlevを算出するようにする。
【０１９５】
そしてＵＥは、ステップＳＴ１３０３において、該Ｓrxlevを算出したセルのうち、ステップＳＴ１３０４で、Ｓrxlevが０より大きくなったセルの中から、ステップＳＴ１７０１でセルランキングを行い、ベストセルを選択するようにすればよい。こうすることで、セルリセレクション対象となることが許可されたセルの中から、ベストセルを選択することが可能となる。
【０１９６】
セルランキングおよびベストセルの選択方法としては、図１７のステップＳＴ１７０１の処理を行う必要はなく、図１３〜図１６のステップＳＴ１３０６の処理を行うようにしてもよい。この場合、ＵＥは、ステップＳＴ１３０４で、Ｓrxlevが０より大きくなったセルの中から、ステップＳＴ１３０６でセルランキングおよびベストセル選択を行う。こうすることで、セルリセレクション対象となることが許可されたセルの中から、ベストセルを選択することが可能となる。
【０１９７】
もし該インジケータが、セルリセレクション対象となることが許可されないセルの場合は、ステップＳＴ１３０３でＳrxlevを算出する対象から外す。これにより、ベストセルの選択において、セルリセレクション対象となることが許可されないセルが選択されることはなくなる。
【０１９８】
本変形例では、ステップＳＴ１３０３において、該インジケータによりセルリセレクション対象となることが許可されたセルに対してのみ、Ｓrxlevを算出するようにしたが、これに限らない。たとえばステップＳＴ１３０２に示すセルリセレクションのためのセルの受信電力の測定の際に、該インジケータによりセルリセレクションの対象となることが許可されたセルのみの測定を行うようにしてもよい。また、たとえばセルランキングおよびベストセルの選択方法として、図１３〜図１６のステップＳＴ１３０６の処理を行う場合は、ステップＳＴ１３０６において、該インジケータによりセルリセレクション対象となることが許可されたセルに対してのみ、Ｒs，Ｒnを算出するようにしてもよい。また図１７のステップＳＴ１７０１の処理を行う場合は、ステップＳＴ１７０１において、該インジケータによりセルリセレクション対象となることが許可されたセルに対してのみ、Ｒs_total，Ｒn_totalを算出するようにしてもよい。該インジケータによりセルリセレクション対象となることが許可されたセルから、ベストセルが選択されればよい。
【０１９９】
サービングセルは、隣接セルの該インジケータを認識する必要がある。この方法は、実施の形態２で開示した、サービングセルが隣接セルのバックホールリンクの通信品質を認識する方法と同様にすればよい。
【０２００】
また、サービングセルが該インジケータを報知する方法は、実施の形態２で開示した、サービングセルが隣接セルのバックホールリンクの通信品質を報知する方法と同様にすればよい。
【０２０１】
各セルは、自セルのバックホールリンクの通信品質を測定し、その測定結果に応じて該インジケータの値を設定するようにしておく。こうすることで、バックホールリンクの通信品質が悪く、バックホールリンクの通信が十分に行なえない状態においては、該インジケータにより、セルリセレクション対象となることを許可しないようにできるので、セルリセレクションの際に、ＵＥが該セルを選択してしまうことを防ぐことができる。
【０２０２】
また、本変形例で開示した方法とすることで、実施の形態２で記載した効果に加えて、以下の効果を得ることができる。バックホールリンクの通信品質が極めて悪いセルが存在する場合などに、セルリセレクション対象から該セルを外すことが可能となるため、セルリセレクション制御を簡易にすることができる。また、ＵＥの消費電力の削減を図ることができる。
【０２０３】
また、該インジケータは、実施の形態２で記載した各セルのバックホールリンクの通信品質よりも少ない情報量にできるので、各セルからサービングセルへ通知する情報量やサービングセルから報知する情報量を削減することが可能となる。
【０２０４】
該インジケータを１ビットとしてもよい。１（あるいは０）が、セルリセレクション対象となることを許可することを示し、０（あるいは１）がセルリセレクション対象となることを許可しないことを示すようにする。これにより、最小の情報量で実現可能となる。
【０２０５】
本変形例では、サービングセルが、自セルがセルリセレクション対象となることを許可するかどうかを示すインジケータと、隣接セルがセルリセレクション対象となることを許可するかどうかを示すインジケータとを報知するようにしたが、各セルが、自セルがセルリセレクション対象となることを許可するかどうかを示すインジケータを報知するようにしてもよい。この場合は、実施の形態２の変形例１で開示した方法と同様に、セルリセレクションのためのセルの測定を開始するＵＥは、図１７に示すステップＳＴ１３０２でのセルの測定の際に、各セルが報知する該インジケータを受信するようにしておけばよい。これにより、サービングセルが隣接セルの該インジケータを報知する必要がなくなる。各セルが該インジケータを報知する方法は、実施の形態２の変形例１の方法と同様にすればよい。
【０２０６】
各セルが、自セルがセルリセレクション対象となることを許可するかどうかを示すインジケータを報知するようにすることで、さらに以下の効果を得ることができる。サービングセルが報知する情報から、隣接セルの情報を削減することができる。また、各セルは、自セルのバックホールリンクの通信品質や該セルのアイデンティティ（ＰＣＩ、ＧＣＩ）を隣接セルに通知しなくてもよくなる。したがって、エアインタフェースやＸ２インタフェース、Ｓ１インタフェースにおけるシグナリング負荷を削減することが可能となる。また、このため、大量に、そして任意の場所に設置されるＨｅＮＢを含むネットワークにおいても簡易な構成のシステムを構築することが可能となる。
【０２０７】
実施の形態２  変形例３．
本変形例では、セルランキング時にサービングセルおよび隣接セルの少なくともいずれか一方のバックホールリンクの通信品質を入れこむ別の方法を開示する。本変形例では、受信品質が、ある値以上のセルがある場合、バックホールリンクの受信品質を考慮してセルランキングを行うようにする。該ある値として、受信品質閾値（基準値）を設ける。
【０２０８】
図１８は、受信品質が、ある値以上のセルがある場合に、バックホールリンクの受信品質を考慮してセルランキングを行うセルリセレクションの処理手順を示すフローチャートである。図１８に示すフローチャートの処理は、図１３および図１６に示すフローチャートの処理と類似しているので、異なる処理についてのみ説明し、対応する部分については同一のステップ番号を付して、処理の説明を省略する。セルリセレクションのための測定を開始するまでの動作は、実施の形態１の変形例２で開示した方法を用いているが、これに限らない。実施の形態１または実施の形態１の変形例１で開示した方法であってもよい。
【０２０９】
本変形例では、ステップＳＴ１３０４で、Ｓrxlevが０より大きくなったセルについて、ＵＥは、ステップＳＴ１８０１の処理を行う。ステップＳＴ１８０１で、ＵＥは、セルの受信品質が受信品質閾値（基準値）以上か否か、具体的には、セルの受信品質を表す受信電力測定値が受信品質閾値（基準値）以上か否かを判断する。受信電力測定値が受信品質閾値（基準値）以上の場合は、ステップＳＴ１８０３へ移行する。受信電力測定値が受信品質閾値（基準値）より小さい場合は、ステップＳＴ１８０２へ移行する。
【０２１０】
ステップＳＴ１３０４でＳrxlevが０より大きくなったセルのうち、ステップＳＴ１８０１で受信電力測定値が受信品質閾値（基準値）以上となるセルがある場合、ステップＳＴ１８０３で、ＵＥは、該セルの中で、バックホールリンクの通信品質でセルランキングを行い、バックホールリンクの通信品質が最も良好なセルをベストセルとして選択する。そして、ＵＥは、ステップＳＴ１８０３で選択したベストセルにセルリセレクションを行う。受信品質閾値（基準値）を、ＵＥがセルリセレクションを行うのに必要な受信品質に設定することで、受信品質測定値が該必要な受信品質を満足したセルの中から、該セルのバックホールリンクの通信品質に応じてベストセルを選択することができる。
【０２１１】
ステップＳＴ１３０４でＳrxlevが０より大きくなったセルのうち、ステップＳＴ１８０１で受信電力測定値が受信品質閾値（基準値）以上となるセルが無い場合、ステップＳＴ１８０２で、ＵＥは、該セルの中から、受信品質で、具体的には受信電力測定値でセルランキングを行う。このセルランキング方法は、従来のセルランキング方法と同じとすることができる。ＵＥは、ステップＳＴ１８０２で、受信電力測定値が最も良好なセルをベストセルとして選択する。そして、ＵＥは、ステップＳＴ１８０２で選択したベストセルにセルリセレクションを行う。
【０２１２】
該受信品質閾値（基準値）は一つであってもよいし、複数であってもよく、例えばセル毎にあってもよい。例えば受信品質閾値（基準値）がセル毎に設けられる場合、ステップＳＴ１８０１で判断対象とするセル毎に該受信品質閾値（基準値）を用いるようにすればよい。該受信品質閾値（基準値）をセル毎に設ける場合、セルのアイデンティティ（ＰＣＩ，ＧＣＩ）と関連付けるようにしておくとよい。こうすることで、セル毎の状況を考慮できるため、より緻密なセルリセレクションが可能となる。
【０２１３】
該受信品質閾値（基準値）をサービングセルが報知してもよいし、各セルが報知してもよい。サービングセルが報知する場合はＳＩＢ３に含めて報知してもよいし、あるいはＳＩＢ１に含めて報知してもよいし、ＳＩＢ４に含めて報知してもよい。ＳＩＢ３で報知する場合、セルリセレクション用パラメータが含まれるので、他のセルリセレクション用パラメータと一緒に受信することが可能となる。このため、ＵＥの受信動作を簡略化でき、また、制御誤動作の削減が可能となる。ＳＩＢ１の場合、予め報知されるタイミングが決められているので、ＵＥはメジャメント時に早期に受信可能となる。このため、ＵＥのメジャメント動作において制御遅延を小さくすることが可能となる。ＳＩＢ４で報知する場合、隣接セルの情報が含まれるので、他の隣接セルの情報、例えばＰＣＩと関連付けて受信することが可能となる。ＳＩＢ４での報知は、該受信品質閾値（基準値）をセル毎に設ける場合などに適し、ＵＥの受信動作を簡略化でき、また、制御誤動作の削減が可能となるという利点を有する。
【０２１４】
各セルが受信品質閾値（基準値）を報知する場合は、ＳＩＢ１に含めて報知してもよい。ＳＩＢ１の場合、予め報知されるタイミングが決められているので、ＵＥはメジャメント時に早期に受信可能となる。このため、ＵＥのメジャメント動作において制御遅延を小さくすることが可能となる。
【０２１５】
該受信品質閾値（基準値）は報知されるのではなく、静的な値として予め決められていてもよい。この場合、ＵＥは、予め決められた値を用いることができる。ＵＥは、該受信品質閾値（基準値）を報知される必要がなくなるので、シグナリング負荷の削減、ＵＥの消費電力の削減が可能となる。
【０２１６】
また、該受信品質閾値（基準値）に、初期値として予め決められた値を用い、該受信品質閾値（基準値）がサービングセルあるいは各セルから報知された場合に、初期値に代えて報知された各々のセルの該受信品質閾値（基準値）を用いるようにしてもよい。この場合、サービングセルあるいは各セルは、必要に応じて該受信品質閾値（基準値）を報知すればよい。
【０２１７】
ＵＥは、ステップＳＴ１８０３で、バックホールリンクの通信品質をもとにベストセルを選択する。したがって、ＵＥは、サービングセルおよび各セルのバックホールリンクの通信品質を認識しておく必要がある。この方法については、実施の形態２、実施の形態２の変形例１などを用いるとよい。
【０２１８】
本変形例で開示した方法とすることで、実施の形態２、実施の形態２の変形例１で記載した効果に加えて、以下の効果を得ることができる。通信に十分な受信品質を得られている場合は、バックホールリンクの通信品質によって、ベストセルを選択することが可能となる。受信品質を優先して選択するセルを決定することができるため、セルを見つけやすくできる。また、ＵＥがバックホールリンクの通信品質を用いて、トータルの受信品質を導出する必要が無い。したがって、ＵＥのセルリセレクション制御が容易となり、ＵＥの低消費電力化を図ることができる。
【０２１９】
本変形例では、図１８において、ステップＳＴ１３０４のＳrxlevによる判断とは別に、ステップＳＴ１８０１で、受信品質が受信品質閾値（基準値）以上か否かの判断を行っている。この二つの判断を一つにして、ステップＳＴ１８０１およびステップＳＴ１８０２の処理を無くしてもよい。この場合には、以下のようにする。
【０２２０】
ステップＳＴ１３０４では、セル毎の受信電力測定値に、あるオフセット値を考慮してＳrxlevを導出していることを述べた。このオフセットの他に、新たなオフセットを設けて、受信品質閾値（基準値）を考慮した値を該新たなオフセット値とすればよい。該新たなオフセットを、Ｓrxlevを導出する際に用いることで、受信品質閾値（基準値）も考慮に入れることが可能となる。該新たなオフセットを設けるのではなく、既存のオフセットに受信品質閾値（基準値）を考慮した値を入れ込むようにしてもよい。
【０２２１】
このようにして、ステップＳＴ１３０４のＳrxlevによる判断と、ステップＳＴ１８０１の受信品質が受信品質閾値（基準値）以上か否かの判断とを一つのステップで行うことによって、ＵＥでの判断を簡易にすることが可能となる。また、従来のセルのランキング方法と同様にすることが可能となる。
【０２２２】
実施の形態２  変形例４．
本変形例では、セルランキング時にサービングセルおよび隣接セルの少なくともいずれか一方のバックホールリンクの通信品質を入れこむ別の方法を開示する。本変形例では、バックホールリンクの通信品質が、ある値以上のセルがある場合、セルの受信品質を考慮してセルランキングを行うようにする。該ある値として、バックホール閾値（基準値）を設ける。
【０２２３】
図１９は、バックホールリンクの通信品質が、ある値以上のセルがある場合、セルの受信品質を考慮してセルランキングを行うセルリセレクションの処理手順を示すフローチャートである。図１９に示すフローチャートの処理は、図１３および図１６に示すフローチャートの処理と類似しているので、異なる処理についてのみ説明し、対応する部分については同一のステップ番号を付して、処理の説明を省略する。セルリセレクションのための測定を開始するまでの動作は、実施の形態１の変形例２で開示した方法を用いているが、これに限らない。実施の形態１または実施の形態１の変形例１で開示した方法であってもよい。
【０２２４】
本変形例では、ステップＳＴ１３０４で、Ｓrxlevが０より大きくなったセルについて、ＵＥは、ステップＳＴ１９０１の処理を行う。ステップＳＴ１９０１で、ＵＥは、セルのバックホールリンクの通信品質がバックホール閾値（基準値）以上か否かを判断する。バックホールリンクの通信品質がバックホール閾値（基準値）以上の場合は、ステップＳＴ１９０３へ移行する。バックホールリンクの通信品質がバックホール閾値（基準値）より小さい場合は、ステップＳＴ１９０２へ移行する。
【０２２５】
ステップＳＴ１３０４でＳrxlevが０より大きくなったセルのうち、ステップＳＴ１９０１でバックホールリンクの通信品質がバックホール閾値（基準値）以上となるセルがある場合、ステップＳＴ１９０３で、ＵＥは、該セルの中で、受信品質、具体的には受信電力測定値によりセルランキングを行い、受信品質、具体的には受信電力測定値が最も良好なセルをベストセルとして選択する。このセルランキング方法は、従来のセルランキング方法と同じとすることができる。そして、ＵＥは、ステップＳＴ１９０３で選択したベストセルにセルリセレクションを行う。バックホール閾値（基準値）を、ＵＥがセルリセレクションを行うのに必要なバックホールリンクの通信品質に設定することで、バックホールリンクの通信品質が、該必要なバックホールリンクの通信品質を満足したセルの中から、該セルの受信品質、具体的には受信電力測定値に応じてベストセルを選択することができる。
【０２２６】
ステップＳＴ１３０４で、Ｓrxlevが０より大きくなったセルのうち、ステップＳＴ１９０１でバックホールリンクの通信品質がバックホール閾値（基準値）以上となるセルが無い場合、ステップＳＴ１９０２で、ＵＥは、該セルの中からバックホールリンクの通信品質によってセルランキングを行う。ＵＥは、ステップＳＴ１９０２で、バックホールリンクの通信品質が最も良好なセルをベストセルとして選択する。そして、ＵＥは、ステップＳＴ１９０２で選択したベストセルにセルリセレクションを行う。
【０２２７】
該バックホール閾値（基準値）の設定方法やＵＥへの通知方法などについては、実施の形態２の変形例３で記載した受信品質閾値（基準値）と同様に設定すればよい。サービングセルと各セルとのバックホールリンクの通信品質についても、実施の形態２の変形例３で記載した方法と同様にすればよい。
【０２２８】
本変形例で開示した方法とすることで、実施の形態２、実施の形態２の変形例１で記載した効果に加えて、以下の効果を得ることができる。通信に十分なバックホールリンクの通信品質が得られている場合は、セルの受信品質、具体的には受信電力測定値によって、ベストセルを選択することが可能となる。バックホールリンクの通信品質を優先して選択するセルを決定することができるため、確実なリンクを設定できるセルを見つけやすくできる。
【０２２９】
また、ＵＥがバックホールリンクの通信品質を用いて、トータルの受信品質を導出する必要が無い。したがって、ＵＥのセルリセレクション制御が容易となり、ＵＥの低消費電力化を図ることができる。
【０２３０】
実施の形態３．
本実施の形態では、セルリセレクションにサービングセルおよび隣接セルの少なくともいずれか一方のバックホールリンクの通信品質を考慮に入れる別の方法を開示する。本実施の形態では、ＵＥの通信速度に応じたバックホールリンクの通信品質を考慮に入れる。
【０２３１】
一例として、ＵＥは、自ＵＥの所望通信速度に応じて、必要なバックホールリンクの通信品質を満足するセルの中でセルランキングを行う。通信速度に応じて所望のバックホールリンクの通信品質は異なる。例えば、高速大容量の通信には、高いバックホールリンクの通信品質が要求され、低速小容量の通信には、低いバックホールリンクの通信品質でよい。そこで、ＵＥの所望通信速度に応じて必要なバックホールリンクの通信品質を満足するセルの中でセルランキングを行うようにする。
【０２３２】
ＵＥの所望通信速度に応じた所望のバックホールリンクの通信品質を与える方法として、例えば、ＵＥの通信速度に応じて必要なバックホールリンク通信品質の閾値を設けるとよい。ＵＥは、自ＵＥの所望通信速度から、該通信速度に対応するバックホールリンク通信品質の閾値を導出し、該閾値より高いバックホールリンクの通信品質を有するセルの中からセルランキングによってセルを選択する。
【０２３３】
ＵＥの通信速度とバックホールリンクの通信品質の閾値との対応関係は、静的な値として予め決めておいてもよいし、あるいは、サービングセルあるいは各セルから報知するようにしてもよい。また、初期値として静的な値としておき、その後、サービングセルあるいは各セルから報知するようにして、初期値に代えて報知された値を用いるようにしてもよい。
【０２３４】
ＵＥの通信速度とバックホールリンクの通信品質の閾値との対応関係は、対応表を設けておいてもよいし、適切な関数を用いてＵＥの通信速度から導出するようにしてもよい。適切な関数を用いる場合は、該関数を予め決めておくようにしてもよい。
【０２３５】
ＵＥの所望通信速度について述べたが、これに限らず、ＵＥの送信バッファ状態や、ＵＥがどれだけの通信速度に対応可能であるかを示すＵＥのケーパビリティを考慮に入れるようにしてもよい。この場合、ＵＥの送信バッファ状態や、ＵＥのケーパビリティに応じて、バックホールリンクの通信品質の閾値と対応付けるようにしておけばよい。
【０２３６】
本実施の形態で開示した方法とすることで、実施の形態２、実施の形態２の変形例１で記載した効果に加えて、ＵＥの所望通信速度を考慮したセルリセレクションを可能にすることができる。
【０２３７】
実施の形態４．
前述のように、ヘテロジーニアスネットワークスにおける干渉低減方法およびキャパシティ改善方法として、非特許文献８に、弱受信電力のセルの測定とトリガメカニズムとが必要であることが提案されているが、具体的な方法については、何ら記載されていない。
【０２３８】
非特許文献１０に、ヘテロジーニアスネットワークスにおいては、下りリンクで最適なセルと、上りリンクで最適なセルとは異なるという問題があることが記載されている。
【０２３９】
このような問題が生じる状況として、たとえば、マクロセルのカバレッジ内にＨｅＮＢが配置されている場合がある。マクロセルのカバレッジは、ＨｅＮＢのカバレッジと比較して大きい。よってマクロセルの下り送信パワーは、ＨｅＮＢの下り送信パワーより大きい。マクロセルよりＨｅＮＢの近くにＵＥが位置した場合であっても、下り受信品質としては、マクロセルの方がＨｅＮＢより良好となる場合がある。しかし、該ＵＥは、マクロセルよりＨｅＮＢの近くに位置するため、上りリンクの通信品質としては、ＨｅＮＢの方がマクロセルより良好となる。
【０２４０】
このような問題を解消するために、非特許文献１０には、上りリンクと下りリンクとで異なるセルに独立に接続させることが開示されているが、この具体的方法については、何ら記載されていない。また、上りリンクと下りリンクとで異なるセルに接続させることは、ＵＥがサービングセルを複数有することになるため、通信制御が非常に複雑になってしまうと考えられる。
【０２４１】
これらの問題を解消するために、本実施の形態では、セルリセレクションにおいて、上りリンクの状態も考慮に入れることで、弱受信電力のセルへのリセレクションを可能にする方法を開示する。上りリンクの状態は選択情報に相当し、上りリンクは上り通信回線に相当する。
【０２４２】
下りリンクで最適なセルと、上りリンクで最適なセルとは異なるため、上りリンクで最適なセルが、下りリンクにおいては弱受信電力のセルとなる場合がある。従来のセルリセレクションでは、下りリンクの受信電力によってセルランキングを行っているため、このような場合に、上りリンクで最適なセルへのセルリセレクションは行えない。そこで、本実施の形態では、セルリセレクションにおいて、上りリンクの状態も考慮に入れることとする。
【０２４３】
セルリセレクションにおいて、上りリンクの状態も考慮に入れるために、本実施の形態では、セルリセレクションのための測定開始用サービングセルのパスロス閾値（以下「パスロス閾値（開始）」という場合がある）と、セルランキング用のセル毎のパスロス閾値（以下「パスロス閾値（基準値）」という場合がある）とを新たに設ける。
【０２４４】
これは、パスロスが小さいほど、上りリンクで最適なセルと判断できるためである。パスロスが小さいと、小さいＵＥの送信電力で、セルが上り信号を復調するために必要な受信電力を得ることができるためである。したがって、ＵＥは低消費電力で動作可能となり、システムとしても上り干渉を低減することができる。
【０２４５】
パスロスとして、上りリンクのパスロスを用いるようにしてもよいが、上りリンクのパスロスをＵＥが認識するのは複雑になるため、下りリンクのパスロスを用いるようにしてもよい。パスロスの相対値は、主にセルとＵＥの各々の位置によって生じるリンクの経路（パス）に依存するため、下りリンクのパスロスを用いても判断可能である。したがって、ここでは上りリンクの状態を考慮に入れるために、下りリンクのパスロスを用いるようにする。
【０２４６】
図２０は、上りリンクの状態も考慮に入れたセルリセレクションの処理手順を示すフローチャートである。図２０に示すフローチャートの処理は、図１３に示すフローチャートの処理と類似しているので、異なる処理についてのみ説明し、対応する部分については同一のステップ番号を付して、処理の説明を省略する。
【０２４７】
ＵＥは、セルリセレクションのために、サービングセルの受信電力を測定する。ステップＳＴ１３０１で、ＵＥは、ＳxとＳ_intrasearchとを比較し、ＳxがＳ_intrasearch以下となった場合に、サービングセルの受信電力が低いと判断し、セルリセレクションのための測定を開始する（ステップＳＴ１３０２）。ＵＥは、ＳxがＳ_intrasearchよりも大きい場合は、ステップＳＴ２００１で、サービングセルのパスロスとパスロス閾値（開始）とを比較する。サービングセルのパスロスは、ＵＥが測定する。該パスロスの測定は、セルリセレクションのために行うサービングセルの受信電力の測定の際に行ってもよい。
【０２４８】
ステップＳＴ２００１で、ＵＥは、サービングセルのパスロスがパスロス閾値（開始）以上となった場合は、上りリンクの状態が悪いと判断して、セルリセレクションのための測定を開始する（ステップＳＴ１３０２）。ＵＥは、サービングセルのパスロスがパスロス閾値（開始）より小さい場合は、上りリンクの状態が通信に十分であると判断して、セルリセレクションのための測定を開始せず、ステップＳＴ１３０１に戻り、Ｓxを測定し、ＳxとＳ_intrasearchとを比較する。
【０２４９】
ステップＳＴ２００１のサービングセルのパスロスとパスロス閾値（開始）との比較は、ステップＳＴ１３０１の通常のサービングセルの受信電力測定値（Ｓx）と受信電力の閾値（Ｓ_intrasearch）との比較と、オア（or）条件で行われるようにするとよい。これによって、いずれかの条件が通信に不十分となった場合に、セルリセレクションのための測定を開始するようにできる。
【０２５０】
このように、サービングセルのパスロス閾値を設けて、セルリセレクションのための測定を開始するか否かの判断に用い、また、該判断をセルリセレクションのための測定開始条件に入れ込むことで、サービングセルの上りリンクの状態を考慮に入れることができる。
【０２５１】
ステップＳＴ１３０２で、セルリセレクションのための測定を開始したＵＥは、ステップＳＴ１３０３で、各セルの受信電力測定値よりＳrxlevを算出し、ステップＳＴ１３０４でＳrxlevが０より大きくなったセルについて、ＵＥはステップＳＴ２００２の処理を行う。ステップＳＴ１３０４でＳrxlevが０より大きくなるセルが無い場合、ＵＥはステップＳＴ１３０５に移行して、圏外状態になる。
【０２５２】
ステップＳＴ２００２で、ＵＥは、セルのパスロス測定値がパスロス閾値（基準値）以下か否かを判断する。各セルのパスロスは、ＵＥが測定する。パスロスの測定は、ＵＥがステップＳＴ１３０２におけるセルリセレクションのための測定の際に行ってもよい。セルのパスロス測定値がパスロス閾値（基準値）以下の場合、ステップＳＴ２００４へ移行する。セルのパスロス測定値がパスロス閾値（基準値）より大きい場合、ステップＳＴ２００３へ移行する。
【０２５３】
ステップＳＴ１３０４でＳrxlevが０より大きくなったセルのうち、ステップＳＴ２００２でパスロス測定値がパスロス閾値（基準値）以下となるセルがある場合、ステップＳＴ２００４で、ＵＥは、該セルの中で受信品質をもとにセルランキングを行い、受信品質が最も良好なセルをベストセルとして選択する。このセルランキング方法は、従来のセルランキング方法と同じとすることができる。そして、ＵＥは、ステップＳＴ２００４で選択したベストセルにセルリセレクションを行う。パスロス閾値（基準値）を、ＵＥがセルリセレクションを行うのに必要なセルの上りリンクの状態に設定することで、必要な上りリンクの状態を満足したセルの中から、該セルの受信品質に応じてベストセルを選択することができる。
【０２５４】
ステップＳＴ１３０４でＳrxlevが０より大きくなったセルのうち、ステップＳＴ２００２でパスロス測定値がパスロス閾値（基準値）以下となるセルが無い場合、ステップＳＴ２００３で、ＵＥは、該セルの中からパスロス測定値でセルランキングを行う。ＵＥは、ステップＳＴ２００３で、パスロス測定値が最小のセルをベストセルとして選択する。そして、ＵＥは、ステップＳＴ２００３で選択したベストセルにセルリセレクションを行う。
【０２５５】
パスロスは変動するので、ＵＥはパスロスの測定結果を、ある期間平均する、あるいはフィルタリングするなどしてもよい。該平均値あるいはフィルタリング後の値を、ステップＳＴ２００２においてパスロス閾値（基準値）と比較するようにしてもよい。
【０２５６】
サービングセルは、パスロス閾値（開始）を報知する。ＳＩＢ３に含めて報知してもよいし、あるいはＳＩＢ１に含めて報知してもよい。ＳＩＢ３の場合、セルリセレクション用パラメータが含まれるので、ＵＥは、他のセルリセレクション用パラメータと一緒に受信することが可能となる。このため、ＵＥの受信動作を簡略化でき、また、制御誤動作の削減が可能となる。ＳＩＢ１の場合、予め報知されるタイミングが決められているので、ＵＥは、メジャメント時に早期に受信可能となる。このため、ＵＥのメジャメント動作において制御遅延を小さくすることが可能となる。
【０２５７】
パスロス閾値（開始）は報知されるのではなく、静的な値として予め決められていてもよい。この場合、ＵＥは、予め決められた値を用いることができる。これにより、報知情報を削減でき、シグナリング負荷を低減できる。
【０２５８】
また、パスロス閾値（開始）に、初期値として予め決められた値を用い、パスロス閾値（開始）が報知された場合に、初期値に代えて報知された該パスロス閾値（開始）を用いるようにしてもよい。この場合、該パスロス閾値（開始）を、サービングセルが必要に応じて報知すればよい。
【０２５９】
パスロス閾値（基準値）は一つであってもよいし、複数であってもよく、例えばセル毎にあってもよい。例えばパスロス閾値（基準値）がセル毎に設けられる場合、ステップＳＴ２００２で判断対象とするセル毎に該パスロス閾値（基準値）を用いるようにすればよい。該パスロス閾値（基準値）をセル毎に設ける場合、セルのアイデンティティ（ＰＣＩ，ＧＣＩ）と関連付けるようにしておくとよい。こうすることで、セル毎の上りリンクの状況を考慮できるため、より緻密なセルリセレクションが可能となる。
【０２６０】
該パスロス閾値（基準値）をサービングセルが報知してもよいし、各セルが報知してもよい。サービングセルが報知する場合は、ＳＩＢ３に含めて報知してもよいし、あるいはＳＩＢ１に含めて報知してもよいし、ＳＩＢ４に含めて報知してもよい。ＳＩＢ３で報知する場合、セルリセレクション用パラメータが含まれるので、ＵＥは、他のセルリセレクション用パラメータと一緒に受信することが可能となる。このためＵＥの受信動作を簡略化でき、また、制御誤動作の削減が可能となる。
【０２６１】
ＳＩＢ１の場合、予め報知されるタイミングが決められているので、ＵＥはメジャメント時に早期に受信可能となる。このため、ＵＥのメジャメント動作において制御遅延を小さくすることが可能となる。ＳＩＢ４の場合、隣接セルの情報が含まれるので他の隣接セルの情報、例えばＰＣＩと関連付けて受信することが可能となる。ＳＩＢ４での報知は、該パスロス閾値（基準値）をセル毎に設ける場合などに適し、ＵＥの受信動作を簡略化でき、また、制御誤動作の削減が可能となる。
【０２６２】
各セルがパスロス閾値（基準値）を報知する場合は、ＳＩＢ１に含めて報知してもよい。ＳＩＢ１の場合、予め報知されるタイミングが決められているので、ＵＥはメジャメント時に早期に受信可能となる。このため、ＵＥのメジャメント動作において制御遅延を小さくすることが可能となる。
【０２６３】
該パスロス閾値（基準値）は報知されるのではなく、静的な値として予め決められていてもよい。この場合、ＵＥは、予め決められた値を用いることができる。ＵＥは、該パスロス閾値（基準値）を報知される必要がなくなるので、シグナリング負荷の削減、ＵＥの消費電力の削減が可能となる。
【０２６４】
また、該パスロス閾値（基準値）に、初期値として予め決められた値を用い、該パスロス閾値（基準値）がサービングセルあるいは各セルから報知された場合に、初期値に代えて報知された各々のセルの該パスロス閾値（基準値）を用いるようにしてもよい。この場合、サービングセルあるいは各セルは、必要に応じて該パスロス閾値（基準値）を報知すればよい。
【０２６５】
また、本実施の形態では、パスロス閾値（開始）とパスロス閾値（基準値）とを設けることとしたが、どちらか一方でもよい。ステップＳＴ２００１あるいはステップＳＴ２００２の判断のどちらか一方を行うようにしてもよい。
【０２６６】
本実施の形態では、セルとＵＥとの間の上りリンクの状態を表す指標として、パスロスを用いることを開示したが、上りリンクの状態を表す指標としては、実際の距離を用いてもよい。これらに限らず、上りリンクの状態を表す指標であればよい。距離を用いる場合、セルとＵＥとの間の距離が小さいほど、上りリンクの状態が良好であると判断する。実際の距離の導出は、例えば以下の方法としてもよい。セルが自セルの位置をＧＰＳ（Global Positioning System）等により測定し、該位置情報を報知する。ＵＥは、自セルの位置をＧＰＳ等により測定する。また、ＵＥは、サービングセルあるいは各セルから報知されるセルの位置情報を受信する。ＵＥは、測定した自ＵＥの位置情報と、受信した各セルの位置情報とによって、各セルとＵＥとの間の距離を導出する。これにより、上りリンクの状態を表す指標として、各セルとＵＥとの間の実際の距離を用いることが可能となる。
【０２６７】
本実施の形態に開示した方法とすることで、各セルの受信品質に加えて、上りリンクの通信品質を考慮に入れて、セルリセレクションを行うことができる。これによって、たとえサービングセルの受信品質が良好であったとしても、サービングセルのパスロスによっては、セルリセレクションを開始することになるため、サービングセルのパスロスの増大による通信速度の低下、通信断の発生、ＵＥの消費電力の増大を抑制することが可能となる。さらに、ＵＥの上り送信電力を抑制することができるので、システムとして上り干渉回避が可能となる。したがって、ヘテロジーニアスネットワークスにおける干渉問題およびキャパシティ問題を改善することが可能となるので、膨大な数のローカルエリアレンジノードの運用およびそれらの柔軟な配置が可能となる。
【０２６８】
また、本実施の形態で開示した方法とすることで、セルランキングの際に、サービングセルのパスロスと隣接セルのパスロスを考慮に入れることが可能となる。これによって、たとえサービングセルの受信品質が良好であったとしても、該サービングセルのパスロスが大きい場合は、他のセルへセルリセレクションさせることが可能となる。このため、サービングセルのパスロスの増大による通信速度の低下、通信断の発生、ＵＥの消費電力の増大を抑制することが可能となる。
【０２６９】
また、パスロスの大きいセルへは、セルリセレクションすることが無くなるため、リセレクション後の通信速度の低下、通信断の発生、ＵＥの消費電力の増大を抑制することが可能となる。
【０２７０】
また、ＵＥの上り送信電力を抑制することができるので、システムとして上り干渉回避が可能となる。
【０２７１】
また、本実施の形態で開示した方法とすることで、上り通信に十分なパスロスを得られている場合は、セルの受信品質によってベストセルを選択することが可能となる。パスロスを優先して選択するセルを決定することができるため、確実な上りリンクを設定できるセルを見つけやすくできる。
【０２７２】
実施の形態４  変形例１．
本変形例では、セルリセレクションにおいて、上りリンクの状態も考慮に入れる別の方法を開示する。受信品質が、ある値以上のセルがある場合、上りリンクの状態を考慮してセルランキングを行うようにする。該ある値として、受信品質閾値（基準値）を設ける。該受信品質閾値（基準値）は、実施の形態２の変形例３で開示した受信品質閾値（基準値）と異なっていてもよいが、セルの受信品質が、通信に十分な受信品質を得られているかどうかの指標となる閾値であるため、同じにしてもよい。同じ場合は、該受信品質閾値（基準値）を表すパラメータを一つにすることができる。
【０２７３】
図２１は、受信品質が、ある値以上のセルがある場合に、パスロスを考慮してセルランキングを行うセルリセレクションの処理手順を示すフローチャートである。図２１に示すフローチャートの処理は、図１３および図２０に示すフローチャートの処理と類似しているので、異なる処理についてのみ説明し、対応する部分については同一のステップ番号を付して、処理の説明を省略する。セルリセレクションのための測定を開始するまでの動作は、実施の形態４に開示した方法とする。
【０２７４】
ステップＳＴ１３０４でＳrxlevが０より大きくなったセルについて、ＵＥは、ステップＳＴ２１０１の処理を行う。ステップＳＴ２１０１で、ＵＥは、セルの受信品質、具体的には受信電力測定値が、受信品質閾値（基準値）以上か否かを判断する。受信電力測定値が受信品質閾値（基準値）以上の場合、ステップＳＴ２１０３へ移行する。受信電力測定値が受信品質閾値（基準値）より小さい場合、ステップＳＴ２１０２へ移行する。
【０２７５】
ステップＳＴ１３０４でＳrxlevが０より大きくなったセルのうち、ステップＳＴ２１０１で受信電力測定値が受信品質閾値（基準値）以上となるセルがある場合、ステップＳＴ２１０３で、ＵＥは、該セルの中で、パスロスでセルランキングを行い、パスロスが最小のセルをベストセルとして選択する。そして、ＵＥは、ステップＳＴ２１０３で選択したベストセルにセルリセレクションを行う。受信品質閾値（基準値）を、ＵＥがセルリセレクションを行うのに必要な受信品質に設定することで、受信品質測定値が該必要な受信品質を満足したセルの中から、該セルのパスロスに応じてベストセルを選択することができる。
【０２７６】
ステップＳＴ１３０４でＳrxlevが０より大きくなったセルのうち、ステップＳＴ２１０１で受信電力測定値が受信品質閾値（基準値）以上となるセルが無い場合、ステップＳＴ２１０２で、ＵＥは、該セルの中から受信電力測定値でセルランキングを行う。このセルランキング方法は、従来のセルランキング方法と同じとすることができる。ステップＳＴ２１０２で、受信電力測定値が最も良好なセルをベストセルとして選択する。そして、ＵＥは、ステップＳＴ２１０２で選択したベストセルにセルリセレクションを行う。受信品質閾値（基準値）に関しては、実施の形態２の変形例３で開示した方法と同様とすればよい。
【０２７７】
ステップＳＴ１３０４のＳrxlevによる判断と、ステップＳＴ２１０１の受信品質が受信品質閾値（基準値）以上か否かの判断とを一つにしてもよい。この方法は、実施の形態２の変形例３で開示した方法と同様とすればよい。これによって、ＵＥでの判断を簡易にすることが可能となる。
【０２７８】
ＵＥは、ステップＳＴ２１０３でパスロスをもとにベストセルを選択する。したがって、ＵＥは、サービングセルおよび各セルのパスロスを認識しておく必要がある。この方法については、実施の形態４で開示した方法を用いるとよい。
【０２７９】
本変形例で開示した方法とすることで、実施の形態４で記載した効果に加えて、以下の効果を得ることができる。通信に十分な受信品質を得られている場合は、パスロスによってベストセルを選択することが可能となる。受信品質を優先して選択するセルを決定することができるため、セルを見つけやすくできる。
【０２８０】
実施の形態５．
ヘテロジーニアスネットワークスにおける問題点を解消するために、実施の形態１から実施の形態４の変形例１で開示した方法を組合せてもよい。
【０２８１】
図２２は、本発明の実施の形態１から実施の形態４の変形例１で開示した方法を組合せたセルリセレクションの処理手順を示すフローチャートの一例である。図２２に示すフローチャートの処理は、図１３、図１６、図１８、図１９および図２０に示すフローチャートの処理と類似しているので、異なる処理についてのみ説明し、対応する部分については同一のステップ番号を付して、処理の説明を省略する。
【０２８２】
ＵＥは、セルリセレクションのための測定を開始するか否かの判断として、ステップＳＴ１６０１、ステップＳＴ２００１に示すように、サービングセルのバックホールリンクの通信品質とサービングセルのパスロスとを考慮に入れる。ステップＳＴ１３０１に示すサービングセルの受信電力と共に、これらの判断をオア（or）条件とすることにより、いずれかの条件が通信に不十分となった場合に、セルリセレクションのための測定を開始するようにできる。
【０２８３】
ＵＥは、セルランキングにおいて、ステップＳＴ１８０１に示すように、セルの受信品質を考慮に入れ、ステップＳＴ２００２でセルのパスロスを考慮に入れ、ステップＳＴ１９０１でセルのバックホールリンクの通信品質を考慮に入れ、ステップＳＴ２２０１でＵＥの所望通信速度を考慮に入れる。
【０２８４】
ステップＳＴ２２０１で、ＵＥの所望通信速度に対応するバックホールリンクの通信品質閾値を満足するセルが得られない場合は、ステップＳＴ２２０２へ移行し、セルの受信品質でセルランキングを行い、最も良好な受信品質のセル（ベストセル）の選択を行う。あるいは、セルのパスロスでセルランキングを行い、最小のパスロスのセル（ベストセル）の選択を行うようにしてもよい。
【０２８５】
また、ステップＳＴ２２０１では、実施の形態３で開示したＵＥの所望通信速度とバックホールリンクの通信品質とを対応させる方法としたが、バックホールの通信品質に限らず、上りリンクの状態と対応させるようにしてもよい。また両方行うようにしてもよい。上りリンクの状態を表す指標としては、たとえば実施の形態４で開示したパスロスあるいは距離を用いればよい。パスロスを用いる場合、ＵＥの所望通信速度に対応するパスロスの閾値を設けておき、ステップＳＴ２２０１でＵＥの所望通信速度に対応するパスロス閾値を満足するか否かを判断する。ＵＥの通信速度と上りパスロスの閾値との対応関係は、実施の形態３で開示した方法と同様にすればよい。これにより、上りリンクの状態を考慮に入れる際にも、ＵＥの所望通信速度を考慮することが可能となる。
【０２８６】
ステップＳＴ２２０１で、ＵＥの所望通信速度に対応するバックホールリンクの通信品質閾値を満足するセルが得られた場合は、ステップＳＴ２２０３に移行して、セルのバックホールリンクの通信品質でセルランキングを行い、バックホールリンクの通信品質が最も良好なセル（ベストセル）を選択する。ＵＥは、ステップＳＴ１８０２、ステップＳＴ２００３、ステップＳＴ１９０２、ステップＳＴ２２０２またはステップＳＴ２２０３で選択したベストセルにセルリセレクションを行う。
【０２８７】
このようにすることで、セルランキングにおいて、実施の形態１から実施の形態４の変形例１で記載した効果を併せ持つことが可能となる。
【０２８８】
本実施の形態で開示したように、実施の形態１から実施の形態４の変形例１で開示した方法を組合せることによって、サービングセルおよび隣接セルの少なくともいずれか一方のバックホールリンクの品質を考慮したセルリセレクションや、弱受信電力のセルへのセルリセレクションを可能とし、ヘテロジーニアスネットワークスにおける干渉問題やキャパシティ問題を改善することが可能となる。
【０２８９】
さらに、マクロセルとローカルノードとの配置状況に応じて必要となる方法を組合せることで、より膨大で複雑な状況のヘテロジーニアスネットワークスにおいても、干渉やキャパシティを最適にすることが可能となる。
【０２９０】
実施の形態６．
前述のように、ヘテロジーニアスネットワークスにおいて、干渉の低減、キャパシティの改善が要求される。その方法として、非特許文献８に、弱受信電力のセルの測定とトリガメカニズムとが必要であることが提案されているが、具体的な方法については、何ら記載されていない。また非特許文献９には、リレーノードのバックホールリンクを考慮したセルセレクション方法が開示されているが、どのようなメカニズムで該バックホールリンクの品質を考慮に入れるのか、具体的な方法については、何ら開示されていない。また非特許文献１０に示される方法では、通信制御が非常に複雑になってしまう。
【０２９１】
これらの問題を解消するために、本実施の形態では、セルセレクションにおいて、セルのバックホールリンクの通信品質および上りリンクの状態の少なくともいずれか一方を考慮に入れるための具体的方法を開示する。本実施の形態では、セルのバックホールリンクの通信品質および上りリンクの状態の両方を考慮に入れる場合を説明する。
【０２９２】
図２３は、非特許文献３の技術によるＵＥのセルセレクションの処理手順を示すフローチャートである。ステップＳＴ２３０１で、ＵＥは、セルセレクションのために、周辺セルの受信電力を測定する。ステップＳＴ２３０２で、ＵＥは、セル毎の測定値から、受信電力に、ある補正値を入れ込んだ値（Ｓrxlev）を算出する。この補正値およびその算出方法は、非特許文献３に記載されている。
【０２９３】
Ｓrxlevを算出したＵＥは、ステップＳＴ２３０３で、該Ｓrxlevが０より大きいか否かを判断する。該Ｓrxlevが０より大きい場合、該セルをベストセル選択の候補として、ステップＳＴ２３０５へ移行する。該Ｓrxlevが０以下の場合は、該セルをベストセル選択の候補としない。
【０２９４】
ＵＥは、セルセレクションのための測定で得られた一つまたは複数のセルに対して、ステップＳＴ２３０２およびステップＳＴ２３０３の各処理を行う。その結果、Ｓrxlevが０より大きくなるセルが全く得られなかった場合は、ステップＳＴ２３０４に移行し、圏外状態となる。Ｓrxlevが０より大きくなるセルが得られた場合は、ステップＳＴ２３０５の処理を行う。ステップＳＴ２３０５で、ＵＥは、Ｓrxlevが０より大きくなったセルの中から、受信電力が最も高いセル（ベストセル）を選択する。そしてＵＥは、選択したベストセルにキャンプオンする。
【０２９５】
図２４は、本実施の形態で開示する、セルのバックホールリンクの通信品質および上りリンクの状態を考慮に入れたセルセレクションの処理手順を示すフローチャートである。図２４に示すフローチャートの処理は、図１８、図１９、図２０、図２２および図２３に示すフローチャートの処理と類似しているので、異なる処理についてのみ説明し、対応する部分については同一のステップ番号を付して、処理の説明を省略する。
【０２９６】
本実施の形態では、ステップＳＴ２３０３でＳrxlevが０より大きくなるセルが得られた場合は、ＵＥは、ベストセルを選択する際に、ステップＳＴ１８０１でセルの受信品質を考慮に入れ、ステップＳＴ２００２でセルのパスロスを考慮に入れ、ステップＳＴ１９０１でセルのバックホールリンクの通信品質を考慮に入れ、ステップＳＴ２２０１でＵＥの所望通信速度を考慮に入れる。
【０２９７】
ステップＳＴ２２０１で、ＵＥの所望通信速度に対応するバックホールリンクの通信品質閾値を満足するセルが得られない場合は、ステップＳＴ２２０２へ移行し、セルの受信品質が最も良好なセル（ベストセル）の選択を行う。あるいは、セルのパスロスが最小のセル（ベストセル）の選択を行うようにしてもよい。
【０２９８】
ステップＳＴ２２０１で、ＵＥの所望通信速度に対応するバックホールリンクの通信品質閾値を満足するセルが得られた場合は、ステップＳＴ２２０３に移行して、セルのバックホールリンクの通信品質が最も良好なセル（ベストセル）を選択する。ＵＥは、ステップＳＴ１８０２、ステップＳＴ２００３、ステップＳＴ１９０２、ステップＳＴ２２０２またはステップＳＴ２２０３で選択したベストセルを、キャンプオンするセルとして選択する。
【０２９９】
図２４からわかるように、本実施の形態では、実施の形態２から実施の形態５に開示したセルリセレクションの、セルリセレクションのための測定開始後のセルランキングの方法を適用することができる。
【０３００】
本実施の形態で開示した方法とすることで、セルセレクションにおいても、セルのバックホールリンクの通信品質および上りリンクの状態の少なくともいずれか一方を考慮に入れることが可能となる。このため、ヘテロジーニアスネットワークスにおける干渉問題やキャパシティ問題を改善することが可能となる。
【０３０１】
さらに、マクロセルとローカルノードとの配置状況に応じて必要となる方法を組合せることで、より膨大で複雑な状況のヘテロジーニアスネットワークスにおいても、干渉やキャパシティを最適にすることが可能となる。
【０３０２】
また、ベストセルの選択において実施の形態２から実施の形態５に開示した方法を適用することで、各々の効果を併せ持つことが可能となる。
【０３０３】
実施の形態７．
実施の形態１から実施の形態６では、セルリセレクション、セルセレクションにおいて、セルのバックホールリンクの通信品質および上りリンクの状態の少なくともいずれか一方を考慮に入れる方法を開示したが、本実施の形態では、ハンドオーバ（ＨＯ）において、セルのバックホールリンクの通信品質および上りリンクの状態の少なくともいずれか一方を考慮に入れる方法を開示する。
【０３０４】
ヘテロジーニアスネットワークスにおいて、前述した問題は、セルセレクションやセルリセレクションのみならず、ハンドオーバ（ＨＯ）の場合にも生じる。前述の問題は、サービングセルの選択や変更を行う場合に生じるからである。ＨＯにおいては、ＨＯ先となるターゲットセルを選択しなければならない。したがって、このターゲットセルの選択が問題となる。
【０３０５】
図２５は、非特許文献１の技術による通常のＨＯの処理手順を示すシーケンス図である。サービングセルがソースセルとなる。ここでは、ソースセルとターゲットセルとの間の通信をＸ２インタフェースで行う場合について示している。
【０３０６】
ステップＳＴ２５０１で、ソースセルは、メジャメントコントロール（Measurement control）メッセージをＵＥに通知して、ＵＥにメジャメント、すなわち測定を行わせる。具体的には、受信品質を表す受信電力を測定させる。ステップＳＴ２５０２で、ＵＥは、メジャメント結果、すなわち測定結果を、メジャメントレポート（Measurement report）として、ソースセルに対して通知する。具体的には、受信品質測定結果、より詳細には受信電力測定値を、メジャメントレポートとして通知する。
【０３０７】
ステップＳＴ２５０３で、ソースセルは、該ＵＥからのメジャメントレポートを用いてターゲットセルを決定する。このように、通常のＨＯでは、各セルが、主としてＵＥの受信品質測定結果に基づいて、該ＵＥがＨＯが必要かどうか、およびどのセルへＨＯさせるかどうかを判断する。つまり、ソースセルは、ステップＳＴ２５０２においてＵＥから受信したメジャメントレポートをトリガとして、ＨＯ手順を起動する。
【０３０８】
ターゲットセルを決定したソースセルは、ステップＳＴ２５０４で、該ターゲットセルにＨＯリクエスト（HO request）メッセージを通知する。該ＨＯリクエストメッセージには、ＨＯさせるＵＥに関する情報である、ＵＥコンテキスト（UE context）情報が含まれる。ターゲットセルは、ステップＳＴ２５０５で、自セルの状態および該ＵＥに関する情報を考慮して、該ＵＥへのＨＯを許可するかどうかを決定する。図２５では、ターゲットセルがＵＥへのＨＯを許可する場合を示している。
【０３０９】
ＨＯ許可の場合、ターゲットセルは、ステップＳＴ２５０６で、ＨＯリクエストに対する許可メッセージ（HO request Ack）をソースセルに通知する。該許可メッセージを受信したソースセルは、ステップＳＴ２５０７で、ＵＥに対して、Ｍｏｂｉｌｉｔｙ（ＨＯ）制御情報を通知する。またソースセルは、ステップＳＴ２５０９で、ターゲットセルに対して、ＨＯで通信を継続させるために必要なデータと、それに関するＰＤＣＰのＳＮステータス（SN status）情報を通知する。
【０３１０】
ステップＳＴ２５０７でＨＯ制御情報を受信したＵＥは、ステップＳＴ２５０８で、ソースセルからデタッチを行い、該ＨＯ制御情報に含まれるターゲットセル情報に基づいて、ステップＳＴ２５１０で、ターゲットセルに対して同期（Synchronization）処理を行う。同期確立後、ターゲットセルは、ステップＳＴ２５１１で、上りリソースのアロケーション情報と、送信タイミング情報であるＴＡ（Timing Advance）情報とをＵＥに通知する。
【０３１１】
上りリソースのアロケーション情報とＴＡ情報とを受信したＵＥは、ステップＳＴ２５１２で、ターゲットセルに対して、ＲＲＣ接続再構成完了（RRC connection reconfiguration complete）メッセージを通知する。これにより、ＵＥとターゲットセルとの間でのデータ通信が開始される。ステップＳＴ２５１２でＲＲＣ接続再構成完了メッセージを受信したターゲットセルは、ステップＳＴ２５１３で、上位装置であるＭＭＥおよびサービングＧＷ（Ｓ−ＧＷ）を介して、ソースセルとの間で、ＨＯ完遂（HO completion）のための処理を行う。ステップＳＴ２５１３におけるＨＯ完遂のための処理に伴って、ソースセルは、ステップＳＴ２５１４で、該ＵＥに関する情報に付随する制御に用いていたリソースを開放する。
【０３１２】
セルリセレクション、セルセレクションにおいては、ＵＥがベストセルの選択を行う。しかし、ＨＯにおいては、図２５のステップＳＴ２５０３に示すように、ソースセルであるサービングセルが、ターゲットセルの選択を行う。図２６は、サービングセルによるターゲットセルの選択手順の一例を示すフローチャートである。ステップＳＴ２６０１で、サービングセルは、ＵＥから通知されたメジャメントリポート（Measurement Report）を受信する。
【０３１３】
ステップＳＴ２６０１でＵＥから通知されたメジャメントリポートを受信したサービングセルは、ステップＳＴ２６０２で、該メジャメントリポートの結果から、ＵＥの受信品質に基づいて、受信品質が最も良いセルをターゲットセルとして選択する。
【０３１４】
そこで、本実施の形態では、ＨＯにおいて、サービングセルによるターゲットセルの選択の際に、セルのバックホールリンクの通信品質および上りリンクの状態の少なくともいずれか一方を考慮に入れる。本実施の形態では、セルのバックホールリンクの通信品質および上りリンクの状態の両方を考慮に入れる場合を説明する。
【０３１５】
図２７は、本実施の形態で開示する、セルのバックホールリンクの通信品質および上りリンクの状態を考慮に入れたＨＯの処理手順を示すフローチャートである。図２７に示すフローチャートの処理は、図１８、図１９、図２０、図２２および図２６に示すフローチャートの処理と類似しているので、異なる処理についてのみ説明し、対応する部分については同一のステップ番号を付して、処理の説明を省略する。
【０３１６】
ステップＳＴ２６０１で、ＵＥから通知されたメジャメントリポートを受信したサービングセルは、ターゲットセルを選択する際に、ステップＳＴ１８０１でセルの受信品質を考慮に入れ、ステップＳＴ２００２でセルのパスロスを考慮に入れ、ステップＳＴ１９０１でセルのバックホールリンクの通信品質を考慮に入れ、ステップＳＴ２２０１でＵＥの所望通信速度を考慮に入れる。
【０３１７】
ステップＳＴ２２０１で、ＵＥの所望通信速度に対応するバックホールリンクの通信品質閾値を満足するセルが得られない場合は、ステップＳＴ２７０４へ移行し、セルの受信品質が最も良好なセルをターゲットセルとして選択する。あるいは、セルのパスロスが最小のセルをターゲットセルとして選択するようにしてもよい。
【０３１８】
ステップＳＴ２２０１で、ＵＥの所望通信速度に対応するバックホールリンクの通信品質閾値を満足するセルが得られた場合は、ステップＳＴ２７０５に移行して、セルのバックホールリンクの通信品質が最も良好なセルをターゲットセルとして選択する。サービングセルは、ステップＳＴ２７０１、ステップＳＴ２７０２、ステップＳＴ２７０３、ステップＳＴ２７０４およびステップＳＴ２７０５で選択したセルをターゲットセルとして選択する。
【０３１９】
図２７からわかるように、本実施の形態では、実施の形態２から実施の形態５に開示したセルリセレクションにおける、セルリセレクションのための測定開始後のセルランキングの方法を、ＨＯにおけるサービングセルによるターゲットセルの選択に適用することができる。
【０３２０】
本実施の形態で開示したターゲットセルの選択において、サービングセルは、周辺セルのバックホールリンクの通信品質を認識する必要がある。この方法としては、実施の形態２で開示した方法を用いればよい。
【０３２１】
本実施の形態で開示したターゲットセルの選択において、サービングセルは、ＵＥとセルとの間のパスロスを認識する必要がある。サービングセルのパスロスだけでなく、隣接セルのパスロスについても認識する必要がある。この方法として、パスロス用のメジャメントコンフィグレーションを設ける。サービングセルは、図２５のステップＳＴ２５０１に示すメジャメントコントロールとして、パスロス用のメジャメントコンフィグレーションを用いて、ＵＥに、隣接セルのパスロスの測定を行うことを通知する。ＵＥは、測定したパスロスが、ある条件を満たしたセルについて、該セルのアイデンティティ（ＰＣＩ，ＧＣＩ）とともにパスロス値を、該メジャメントコンフィグレーションに対応するメジャメントリポートでサービングセルに通知する。
【０３２２】
ある条件としては、例えば、サービングセルが、メジャメントコンフィグレーションでＵＥにパスロスの閾値を通知しておく。該メジャメントコンフィグレーションを受信したＵＥは、サービングセルおよび隣接セルの少なくともいずれか一方のパスロスを測定し、該パスロスの測定結果が該閾値より大きくなったセルについて、メジャメントリポートをサービングセルに通知する。また、別の例として、ＵＥはサービングセルおよび隣接セルの少なくともいずれか一方のパスロスを測定し、最も小さいパスロスのセルについて、メジャメントリポートをサービングセルに通知する。これらの方法を、サービングセルは、メジャメントコンフィグレーションで別々にあるいは同時に設定する。これにより、サービングセルは、サービングセルとＵＥとの間あるいは隣接セルとＵＥとの間のパスロスを認識することが可能となる。
【０３２３】
サービングセルとＵＥとの間のパスロスについては、サービングセルが、ＵＥからの上りリンクの受信電力を測定し、該ＵＥの送信電力と該受信電力測定値とを用いて導出してもよい。該ＵＥの送信電力をサービングセルが設定する場合は、サービングセルは、該ＵＥの送信電力を認識していることになる。ＵＥが送信電力を設定する場合は、該ＵＥが送信データとともに、該送信電力情報をサービングセルに通知するようにしておけばよい。これにより、サービングセルは、該送信電力情報を認識することが可能となる。
【０３２４】
実施の形態４で述べたように、上りリンクの状態としては、パスロスではなく、実際の距離を用いてもよい。この場合、位置測定用のメジャメントコンフィグレーションを設ける。該メジャメントコンフィグレーションを受信したＵＥは、ＧＰＳ等により自ＵＥの位置を測定する。ＵＥは、測定した位置を、該メジャメントコンフィグレーションに対応するメジャメントリポートでサービングセルに通知する。
【０３２５】
サービングセルは、ＵＥだけでなく、自セルや隣接セルの位置も認識しておく必要がある。各セルは、自セルの位置をＧＰＳ等により測定し、予め該位置情報を隣接セルに通知しておくとよい。該通知は、各セルの設置時やinitialize、すなわち初期化時に行われるようにしておくとよい。これにより、サービングセルは、隣接セルの位置を認識することが可能となるため、上記で述べたＵＥの位置を用いて、各セルとＵＥとの間の実際の距離を導出することが可能となる。
【０３２６】
本実施の形態で開示したターゲットセルの選択において、サービングセルは、ＵＥの所望通信速度を認識する必要がある。ＵＥの所望通信速度に限らず、ＵＥの所望通信速度、ＵＥの送信データ量やＵＥのケーパビリティを用いる場合は、これらの情報をサービングセルが認識する必要がある。ここでは、予めＵＥは、これらの情報をサービングセルに通知しておくようにする。ＵＥは、ＲＲＣ接続を要求する際、あるいは、ＲＲＣ＿ｃｏｎｎｅｃｔｅｄ状態にいる際に、これらの情報をサービングセルに通知しておけばよい。あるいは、図２５のステップＳＴ２５０２に示すメジャメントリポートとともに、あるいは該メジャメントリポートメッセージに含めてサービングセルに通知するようにすればよい。ＲＲＣシグナリングを用いてもよいし、ＭＡＣシグナリングを用いてもよい。これらの情報を個別に通知してもよいし、必要に応じて複数の情報を組合せて通知するようにしてもよい。
【０３２７】
本実施の形態で開示した方法とすることで、ＨＯにおいても、セルのバックホールリンクの通信品質および上りリンクの状態の少なくともいずれか一方を考慮に入れることが可能となる。このため、ヘテロジーニアスネットワークスにおける干渉問題やキャパシティ問題を改善することが可能となる。
【０３２８】
また、実施の形態１から本実施の形態に開示した方法を組合せてもよく、この場合、ＵＥの状態（ＲＲＣ＿Ｉｄｌｅ状態およびＲＲＣ＿Ｃｏｎｎｅｃｔｅｄ状態）にかかわらず、サービングセルを選択あるいは変更する場合に、セルのバックホールリンクの通信品質および上りリンクの状態の少なくともいずれか一方を考慮に入れることが可能となり、ヘテロジーニアスネットワークスにおける干渉問題やキャパシティ問題を改善することが可能となる。
【０３２９】
また、マクロセルとローカルノードとの配置状況に応じて必要となる方法を組合せることで、より膨大で複雑な状況のヘテロジーニアスネットワークスにおいても、干渉やキャパシティを最適にすることが可能となる。
【０３３０】
本発明で開示した方法は、通常のｅＮＢ（マクロセル）にローカルノード一つ以上を組み入れたネットワークのみに限らず、マクロセルのみのネットワーク、あるいはローカルノードのみのネットワークにおいても、干渉低減、キャパシティ改善のために適用することが可能である。例えば、マクロセルにおいて、バックホールリンクの多くは専用回線が用いられるが、セル毎に該専用回線の通信品質は異なる。あるセル内でイベントが行われているような場合、該セルの通信負荷が増大し、それに伴い該セルのバックホール専用回線の通信品質も劣化することがある。このような場合にもバックホールリンクの通信品質を考慮してサービングセルの選択を行うことで、該セルを避けて異なるセルを選択可能とすることができる。したがって、セル間でキャパシティの分散を行うことが可能となり、通信速度の低下や、最悪の場合に生じる通信断を防ぐことが可能となる。
【０３３１】
以上の実施の形態では、ＬＴＥシステム（Ｅ−ＵＴＲＡＮ）を中心に記載したが、本発明の移動体通信システムは、一つまたは複数の種類のノードが用いられる通信システムであれば適用可能である。たとえば、Ｗ−ＣＤＭＡシステム（ＵＴＲＡＮ、ＵＭＴＳ）またはＬＴＥアドバンスド（LTE-Advanced）に適用可能である。
【符号の説明】
【０３３２】
７１  移動端末、７２  基地局、７２−１  ｅＮＢ、７２−２  Ｈｏｍｅ−ｅＮＢ、７３  ＭＭＥ／Ｓ−ＧＷ部、７４  ＨｅＮＢＧＷ。
【図１】
2013080986.tif 000003
【図２】
2013080986.tif 000004
【図３】
2013080986.tif 000005
【図４】
2013080986.tif 000006
【図５】
2013080986.tif 000007
【図６】
2013080986.tif 000008
【図７】
2013080986.tif 000009
【図８】
2013080986.tif 000010
【図９】
2013080986.tif 000011
【図１０】
2013080986.tif 000012
【図１１】
2013080986.tif 000013
【図１２】
2013080986.tif 000014
【図１３】
2013080986.tif 000015
【図１４】
2013080986.tif 000016
【図１５】
2013080986.tif 000017
【図１６】
2013080986.tif 000018
【図１７】
2013080986.tif 000019
【図１８】
2013080986.tif 000020
【図１９】
2013080986.tif 000021
【図２０】
2013080986.tif 000022
【図２１】
2013080986.tif 000023
【図２２】
2013080986.tif 000024
【図２３】
2013080986.tif 000025
【図２４】
2013080986.tif 000026
【図２５】
2013080986.tif 000027
【図２６】
2013080986.tif 000028
【図２７】
2013080986.tif 000029